(57)【特許請求の範囲】
【請求項１】
１００ｍｏｌ％に対して、
（ｉ）３０ｍｏｌ％以上９９．５ｍｏｌ％未満の割合の部分的に塩化された又は完全に塩化された、スルホン酸官能基又はホスホン酸官能基を有するモノマーに由来するモノマー単位と、
（ｉｉ）０．５ｍｏｌ％以上５ｍｏｌ％以下の割合の式（Ｉ）：
ＣＨ２＝Ｃ（ＣＨ３）−Ｃ（＝Ｏ）−ＯＲ１    （Ｉ）
（式中、Ｒ１は炭素数１０〜１８のアルキルラジカルを表す）の少なくとも１つのモノマーに由来するモノマー単位と、
（ｉｉｉ）０ｍｏｌ％超５ｍｏｌ％以下の割合の少なくとも１つのジエチレン又はポリエチレンの架橋モノマーに由来するモノマー単位と、
（ｉｖ）６９．５ｍｏｌ％未満の割合の中性モノマーに由来するモノマー単位と、
の重合の結果得られる架橋されたアニオン性高分子電解質であり、
前記式（Ｉ）：
ＣＨ２＝Ｃ（ＣＨ３）−Ｃ（＝Ｏ）−ＯＲ１    （Ｉ）
のモノマーに由来するモノマー単位が、Ｒ１がドデシルラジカルを表す式（Ｉ１）のラウリルメタクリレート、及びＲ１がイソデシルラジカルを表す式（Ｉ）に対応する式（Ｉ３）のイソデシルメタクリレートに（Ｉ１）／（Ｉ３）のモル比１／１０以上１０／１以下で由来する、
架橋されたアニオン性高分子電解質。
【請求項２】
前記部分的に塩化された又は完全に塩化された、スルホン酸官能基又はホスホン酸官能基を有するモノマーに由来する前記モノマー単位が、ナトリウム塩又はアンモニウム塩の形態の部分的に塩化された又は完全に塩化された２−メチル−２−［（１−オキソ−２−プロペニル）アミノ］−１−プロパンスルホン酸に由来する、請求項１に記載の架橋されたアニオン性高分子電解質。
【請求項３】
少なくとも１つのジエチレン又はポリエチレンの架橋モノマーに由来するモノマー単位
のモル割合が０．１ｍｏｌ％以上３．０ｍｏｌ％以下である、請求項１又は２に記載の架橋されたアニオン性高分子電解質。
【請求項４】
前記架橋モノマーがエチレングリコールジメタクリレート、テトラアリルオキシエタン、エチレングリコールジアクリレート、ジアリルウレア、トリアリルアミン、トリメチロールプロパントリアクリレート及びメチレンビス（アクリルアミド）、又はこれらの化合物の混合物から選択されることを特徴とする、請求項１〜３のいずれか一項に記載の架橋されたアニオン性高分子電解質。
【請求項５】
中性モノマーの不在下での重合の結果得られることを特徴とし、スルホン酸官能基又はホスホン酸官能基を有するモノマーのモル割合が使用されるモノマー１００ｍｏｌ％に対して９７ｍｏｌ％超である、請求項１〜４のいずれか一項に記載のアニオン性高分子電解質。
【請求項６】
１又は複数の中性モノマーの存在下での重合の結果得られることを特徴とし、中性モノマーのモル割合が使用されるモノマー１００ｍｏｌ％に対して６９．５ｍｏｌ％未満であり、前記中性モノマーがアクリルアミド、（２−ヒドロキシエチル）アクリレート、又はＮ，Ｎ−ジメチルアクリルアミドから選択されることを特徴とする、請求項１〜５のいずれか一項に記載の架橋されたアニオン性高分子電解質。
【請求項７】
使用されるモノマー１００ｍｏｌ％に対して３０ｍｏｌ％以下の中性モノマーのモル割合で、１又は複数の中性モノマーの存在下での重合によって得られることを特徴とする、請求項１〜４及び６のいずれか一項に記載のアニオン性高分子電解質。
【請求項８】
全てのモノマー、スルホン酸官能基又はホスホン酸官能基を有する前記モノマーに対するアンモニウム含有中和剤、前記架橋モノマーを有機溶媒中で混合する工程ａ）と、
工程ａ）で調製された分散物中にフリーラジカル開始剤を導入することによって重合反応を開始し、その後、重合反応が完了するまで継続させる工程ｂ）と、
工程ｂ）の終わりに形成されるポリマーを沈殿させる工程ｄ）と、
を含むことを特徴とする、請求項１〜７のいずれか一項に記載の高分子電解質を作製する方法。
【請求項９】
化粧品、皮膚医薬又は医薬の局所組成物の増粘剤及び／又は安定化剤及び／又は乳化剤としての請求項１〜７のいずれか一項に記載のアニオン性高分子電解質の使用。
【請求項１０】
０．１重量％〜１０重量％の請求項１〜７のいずれか一項に記載のアニオン性高分子電解質を含む局所組成物。
【発明の詳細な説明】
【技術分野】
【０００１】
本発明は、新規な増粘剤に関し、また化粧品及び医薬品におけるそれらの使用に関する。
【背景技術】
【０００２】
化粧品産業及び製薬産業はクリーム、エマルジョン及び種々の局所用溶液の粘度を高めるための合成ポリマー増粘剤をかなり定期的に使用する。これらの分野で現在使用されている合成ポリマー増粘剤は２つの物理的形態、すなわち粉末状と、該ポリマーが逆相乳化重合によって界面活性剤を用いて調製され、一般に逆相ラテックスと呼ばれる液状とにある。
【０００３】
最もよく知られている粉末状のポリマー増粘剤は、アクリル酸に基づくポリマー、又はアクリル酸とそのエステルとに基づくコポリマーである。例えば、Ｃａｒｂｏｐｏｌ（商標）及びＰｅｍｕｌｅｎ（商標）の商品名で販売されているポリマーが挙げられ、特に特許文献１及び特許文献２、また特許文献３に記載されている。
【０００４】
化粧品においては、２−アクリルアミド−２−メチル−プロパンスルホン酸に基づくホモポリマー又はコポリマーも使用され、それらは常に粉末状である。これらのポリマー増粘剤はＡｒｉｓｔｏｆｌｅｘ（商標）の商品名で販売され、特許文献４、特許文献５及び特許文献６で公開された欧州特許出願に記載されている。これらの粉末状の増粘剤は沈殿重合、すなわちモノマー（複数の場合がある）をベンゼン、酢酸エチル、シクロヘキサン、又はｔｅｒｔ−ブタノールタイプの有機溶媒に溶解することにより得られる。したがって、このプロセスは、残留溶媒のあらゆる痕跡を除去するため最終製品を精製する多くの連続工程を必要とする。
【０００５】
また、化粧品産業は、逆相ラテックスの形態の増粘剤、特に本出願人によって販売されるものを非常に幅広く使用している。例えば、増粘剤であるＳｅｐｉｇｅｌ（商標）  ３０５、Ｓｉｍｕｌｇｅｌ（商標）  ６００、Ｓｉｍｕｌｇｅｌ（商標）  ＥＧ、Ｓｉｍｕｌｇｅｌ（商標）  ＥＰＧ、Ｓｉｍｕｌｇｅｌ（商標）  ＮＳ、Ｓｉｍｕｌｇｅｌ（商標）  Ａ、Ｓｅｐｉｐｌｕｓ（商標）  ４００、Ｓｅｐｉｐｌｕｓ（商標）  ２５０及びＳｅｐｉｐｌｕｓ（商標）  ２６５が挙げられる。これらの増粘剤は逆相乳化重合によって得られる。これらの増粘剤は、取り扱いがより容易で水に非常に急速に分散する利点を有する。さらに、これらの製品は著しく高い増粘性能レベルを発現し、これらの性能レベルは、おそらくそれらを調製するプロセス、すなわち分散相重合反応の結果であり、非常に高分子量のポリマーを生成する。
【０００６】
一方で、逆相ラテックス形態のこれらの増粘剤は、油と、特に敏感な被験体に対して時に皮膚の不耐容性反応を誘導し得る１又は複数の界面活性剤とを含有し、さらにこの油の存在が澄んだゲルの調製に対して該増粘剤を使用不可能とする。
【０００７】
したがって、本発明者らは、逆相ラテックスに等価か又はそれより高い増粘性能レベルを有するが、より良好な皮膚耐容性を示し、特にいかなる油相も存在しないことから結果的により澄んだゲルが得られる増粘剤を開発した。これらの製品は粉末状であるが、溶解時間を有するため使用が容易であり、液体製品のものに匹敵する。特許文献７で公開された欧州特許出願に記載されるこれらの化合物は、従来の重合技法によって得られ、従来の重合技法は分散相重合、逆相懸濁重合、逆相乳化重合、又は逆相マイクロエマルジョン重合のいずれかを含み、得られる増粘システムをその後、第３の溶媒からの沈殿、又は任意
には第３の溶媒からの沈殿後の洗浄、噴霧乾燥又は共沸脱水、任意にはその後の適正に選択された溶媒による洗浄等の多様な技法によって抽出及び精製される。したがって、これらの増粘剤は、従来の粉末増粘剤の利点（油が存在せず、より澄んだゲルが得られる）、及び逆相ラテックス形態の増粘剤の利点（油中の高い溶解速度、顕著な増粘及び安定化能力）の幾つかを兼ね備える。しかしながら、幾つかの用途について、かかる増粘システムを使用する顧客は、現時点で得られるものよりも更に澄んだゲル、さらには透明なゲルが生成可能となることを望む。さらに、これらの増粘剤によって得られたゲルは、その組成物が電解質に富む場合、日焼け止め剤を含む組成物によくあるように、十分な安定性を有しない。
【０００８】
本発明者らは、後に、上述の欠点を有さず、従来技術の組成物に対する許容可能な代替物となるよう十分な増粘特性を有する新規な増粘システムを開発しようと努めた。これは、特許文献８で公開された仏国特許出願の主題であり、その主題は、特に、遊離の部分的に塩化された又は完全に塩化された強酸官能基（strong acid function）を有する少なくとも１つのモノマーと、少なくとも１つの中性モノマーと、少なくとも１つの式（Ｉ）のモノマーとの直鎖、分岐鎖、又は架橋されたターポリマーであるアニオン性高分子電解質である：
【化１】
0006370378.tif 000002
（式中、Ｒ１は水素原子又はメチルラジカルを表し、Ｒは炭素数８〜３０の直鎖又は分岐鎖のアルキルラジカルを表し、ｎは１以上５０以下の数を表す）。これらのポリマーは、特に電解質の存在下で非常に顕著な増粘特性を有する。特に、増粘力は電解質の存在によってほとんど影響を受けないことに留意されたい。該ポリマーは幅広いｐＨに亘ってはたらき、透明なゲルを生成することを可能とする。それにもかかわらず、本出願人は、この発明の増粘剤がエトキシ化された基を含有する１又は複数のモノマーを含むという欠点を有し、化粧品におけるその使用はあまり受け入れられないことを実証した。
【０００９】
特許文献９で公開された欧州特許出願及び特許文献１０で公開された仏国特許出願は、特に、塩化された２−アクリルアミド−２−メチル−１−プロパンスルホン酸及びアルキルメタクリレート又はアクリレートに基づき、したがってオキシエチレン化誘導体を含まないコポリマーを記載している。しかしながら、これらのコポリマーは、水中で優れた増粘剤であっても、塩が不在の場合は能力を失う。したがって、該コポリマーを特許文献８で公開された仏国特許出願によるコポリマーに代えて使用することができない。
【００１０】
特許文献１１で公開された欧州特許出願は、９６．５ｍｏｌ％の２−アクリルアミド−２−メチル−１−プロパンスルホン酸と、３．０ｍｏｌ％のラウリルメタクリレートと、０．５ｍｏｌ％のメチレンビス（アクリルアミド）との重合によって得られる架橋された両親媒性コポリマー、及び乳化剤又は可溶化剤としてのその使用を開示している。
【００１１】
特許文献１２で公開された国際出願は、３９ｍｏｌ％の２−アクリルアミド−２−メチル−１−プロパンスルホン酸と、５８．６ｍｏｌ％のアクリル酸と、０．４ｍｏｌ％のラウリルメタクリレートと、２ｍｏｌ％のメチレンビス（アクリルアミド）との逆相乳化重合によって得られる架橋されたポリマー、及び増粘剤としてのその使用を開示している。
【００１２】
特許文献１３で公開された欧州特許出願は、４５ｍｏｌ％〜９７ｍｏｌ％の部分的又は
完全に塩化された２−アクリルアミド−２−メチル−１−プロパンスルホン酸と、３ｍｏｌ％〜６ｍｏｌ％のステアリルメタクリレート、ラウリルメタクリレート又はヘキサデシルアクリレートと、任意に単独又は２−ヒドロキシエチルアクリレートとの混合物としての２７ｍｏｌ％〜５２ｍｏｌ％のアクリルアミドとの重合によって得られるポリマー、及び増粘剤としてのその使用を開示している。
【００１３】
しかしながら、塩に関する増粘及び／又は挙動の結果は、化粧品製剤の増粘剤として選択され得るこれらのポリマーについて満足できるものではない。
【先行技術文献】
【特許文献】
【００１４】
【特許文献１】米国特許第５３７３０４４号
【特許文献２】米国特許第２７９８０５３号
【特許文献３】欧州特許第０３０１５３２号
【特許文献４】欧州特許出願公開第０８１６４０３号
【特許文献５】欧州特許出願公開第１１１６７３３号
【特許文献６】欧州特許出願公開第１０６９１４２号
【特許文献７】欧州特許出願公開第１４９６０８１号
【特許文献８】仏国特許出願公開第２８７９６０７号
【特許文献９】欧州特許出願公開第０５６２３４４号
【特許文献１０】仏国特許出願第２３６２８７２号
【特許文献１１】欧州特許出願公開第０７５０８９９号
【特許文献１２】国際公開第２００４／０６３２２８号
【特許文献１３】欧州特許出願公開第１１３８７０３号
【発明の概要】
【発明が解決しようとする課題】
【００１５】
したがって、本発明者らは、水中に２重量％で分散させた後、毎分５回転の速度でブルックフィールドＲＶＴ粘度計を用いて２０℃で測定される少なくとも３００００ｍＰａ・ｓの粘度を有する澄んだゲルを形成し、幅広いｐＨ範囲に亘って安定であり、同条件下で測定されたその前記粘度が、２重量％の塩化ナトリウムの添加後に塩が不在の同条件下で測定されたその値の少なくとも５０％に等しい値で維持される、新規なアニオン性高分子電解質を開発しようと試みた。
【課題を解決するための手段】
【００１６】
したがって、第１の態様によれば、本発明の主題は、１００ｍｏｌ％に対して、
（ｉ）３０ｍｏｌ％以上９９．５ｍｏｌ％未満の割合の部分的に塩化された又は完全に塩化された強酸官能基を有するモノマーに由来するモノマー単位と、
（ｉｉ）０．５ｍｏｌ％以上５％以下の割合の式（Ｉ）：
ＣＨ２＝Ｃ（ＣＨ３）−Ｃ（＝Ｏ）−ＯＲ１    （Ｉ）
（式中、Ｒ１は炭素数１０〜１８のアルキルラジカルを表す）の少なくとも１つのモノマーに由来するモノマー単位と、
（ｉｉｉ）０ｍｏｌ％超５ｍｏｌ％以下の割合の少なくとも１つのジエチレン又はポリエチレンの架橋モノマーに由来するモノマー単位と、
（ｉｖ）６９．５ｍｏｌ％未満の割合の中性モノマーに由来するモノマー単位と、
の重合の結果得られる架橋されたアニオン性高分子電解質である。
【発明を実施するための形態】
【００１７】
「強酸官能基を含むモノマー」の表現は、特に、スルホン酸官能基又はホスホン酸官能基を含むモノマーを示す。
【００１８】
本発明の文脈において、強酸官能基は、ナトリウム塩若しくはカリウム塩等のアルカリ金属塩の形態、又はアンモニウム塩の形態で部分的に又は完全に塩化される。
【００１９】
特定の一態様によれば、本発明の主題は、前記部分的に又は完全に塩化された強酸官能基を有するモノマーに由来する前記モノマー単位が、ナトリウム塩又はアンモニウム塩の形態の部分的に塩化された又は完全に塩化された２−メチル−２−［（１−オキソ−２−プロペニル）アミノ］−１−プロパンスルホン酸に由来する、上に定義されるアニオン性高分子電解質である。
【００２０】
「上に定義される式（Ｉ）のモノマー」の表現は、特に、上記式（Ｉ）において、Ｒ１が炭素数１０、１２、１４、１６、又は１８のアルキルラジカルを表すものを示す。
【００２１】
別の特定の態様によれば、本発明の主題は、前記式（Ｉ）：
ＣＨ２＝Ｃ（ＣＨ３）−Ｃ（＝Ｏ）−ＯＲ１    （Ｉ）
のモノマーに由来するモノマー単位が、Ｒ１がドデシルラジカルを表す式（Ｉ）に対応する式（Ｉ１）のラウリルメタクリレート、及びＲ１がオクタデシルラジカルを表す式（Ｉ）に対応する式（Ｉ２）のステアリルメタクリレートに（Ｉ１）／（Ｉ２）のモル比１／１０以上１０／１以下で由来する、上に定義されるアニオン性高分子電解質である。
【００２２】
別の特定の態様によれば、本発明の主題は、前記式（Ｉ）：
ＣＨ２＝Ｃ（ＣＨ３）−Ｃ（＝Ｏ）−ＯＲ１    （Ｉ）
のモノマーに由来するモノマー単位が、前記式（Ｉ１）のラウリルメタクリレート、及びＲ１がイソデシルラジカルを表す式（Ｉ）に対応する式（Ｉ３）のイソデシルメタクリレートに（Ｉ１）／（Ｉ３）のモル比１／１０以上１０／１以下で由来する、上に定義されるアニオン性高分子電解質である。
【００２３】
「架橋されたポリマー」の用語は、水不溶性であるが水膨潤性であるため、化学ゲルを生成する三次元ネットワークの形態の非線形ポリマーを示す。
【００２４】
別の特定の形態によれば、上に定義されるアニオン性高分子電解質は、少なくとも１つのジエチレン又はポリエチレンの架橋モノマーに由来するモノマー単位のモル割合が０．１ｍｏｌ％以上３．０ｍｏｌ％以下であることを特徴とする。
【００２５】
別の特定の形態によれば、上に定義されるアニオン性高分子電解質は、架橋剤及び／又は分岐剤がエチレングリコールジメタクリレート、テトラアリルオキシエタン、エチレングリコールジアクリレート、ジアリルウレア、トリアリルアミン、トリメチロールプロパントリアクリレート及びメチレンビス（アクリルアミド）、又はこれらの化合物の混合物から選択されることを特徴とする。
【００２６】
上に定義されるアニオン性高分子電解質が中性モノマーの不在下での重合により得られる場合、強酸官能基を有するモノマーのモル割合が使用されるモノマー１００ｍｏｌ％に対して９７ｍｏｌ％超であり、より具体的には９８ｍｏｌ％以上である。
【００２７】
別の特定の態様によれば、上に定義されるアニオン性高分子電解質は、１又は複数の中性モノマーの存在下での重合の結果得られることを特徴とし、中性モノマーのモル割合が使用されるモノマー１００ｍｏｌ％に対して６９．５ｍｏｌ％未満であり、前記中性モノマーがアクリルアミド、（２−ヒドロキシエチル）アクリレート、又はＮ，Ｎ−ジメチルアクリルアミドから選択され、より具体的には（２−ヒドロキシエチル）アクリレートであることを特徴とする。
【００２８】
別の特定の態様によれば、上に定義されるアニオン性高分子電解質が１又は複数の中性モノマーの存在下での重合により得られる場合、中性モノマーのモル割合が使用されるモノマー１００ｍｏｌ％に対して３０ｍｏｌ％以下であり、より具体的には２０ｍｏｌ％以下である。
【００２９】
本発明の別の特定の形態によれば、上に定義されるアニオン性高分子電解質は、１００ｍｏｌ％に対して、
（ｉ）７５ｍｏｌ％以上９５ｍｏｌ％以下のモル割合のナトリウム塩又はアンモニウム塩の形態の部分的に塩化された又は完全に塩化された２−メチル−２−［（１−オキソ−２−プロペニル）アミノ］−１−プロパンスルホン酸に由来するモノマー単位と、
（ｉｉ）０．５ｍｏｌ％〜５ｍｏｌ％の（Ｉ１）／（Ｉ２）のモル比１／６以上６／１以下の式（Ｉ１）のラウリルメタクリレートと、式（Ｉ２）のステアリルメタクリレートとに由来するモノマー単位と、
（ｉｉｉ）０．５ｍｏｌ％以上３．０ｍｏｌ％以下の割合のトリアリルアミン、トリメチロールプロパントリアクリレート、又はメチレンビス（アクリルアミド）から選択される少なくとも１つのジエチレン又はポリエチレンの架橋モノマーに由来するモノマー単位と、
（ｉｖ）４．０ｍｏｌ％以上２０ｍｏｌ％以下のモル割合の中性モノマーに由来するモノマー単位と、
を含む。
【００３０】
本発明の主題は、より具体的には、１００ｍｏｌ％に対して、
（ｉ）８３ｍｏｌ％以上９０ｍｏｌ％以下の割合のナトリウム塩又はアンモニウム塩の形態の部分的に塩化された又は完全に塩化された２−メチル−２−［（１−オキソ−２−プロペニル）アミノ］−１−プロパンスルホン酸に由来するモノマー単位と、
（ｉｉ）１．５ｍｏｌ％以上２．５％以下の割合の（Ｉ１）／（Ｉ２）のモル比１／６以上６／１以下の式（Ｉ１）のラウリルメタクリレートと、式（Ｉ２）のステアリルメタクリレートとに由来するモノマー単位と、
（ｉｉｉ）０．５ｍｏｌ％以上３．０ｍｏｌ％以下の割合のトリメチロールプロパントリアクリレート又はメチレンビス（アクリルアミド）に由来するモノマー単位と、
（ｉｖ）８ｍｏｌ％〜１５ｍｏｌ％の（２−ヒドロキシエチル）アクリレートに由来するモノマー単位と、
の重合の結果得られる、上に定義される架橋されたアニオン性高分子電解質である。
【００３１】
また、本発明の主題である高分子電解質は、錯化剤、連鎖移動剤又は鎖制限剤（chain limiters）等の様々な添加剤を含んでもよい。
【００３２】
本発明の主題は、また、
全てのモノマー、強酸官能基を有する前記モノマーに対するアンモニウム含有中和剤、架橋剤、並びに必要に応じて又は望ましい場合は、他のモノマー及び／又は添加剤を有機溶媒、好ましくはｔｅｒｔ−ブタノール中で混合する工程ａ）と、
工程ａ）で調製された分散物中にフリーラジカル開始剤を導入することによって重合反応を開始し、その後、重合反応が完了するまで継続させる工程ｂ）と、
任意に、存在するアンモニウムイオンをナトリウムイオン又はカリウムイオンと交換する工程ｃ）と、
工程ｂ）、任意に工程ｃ）の終わりに形成されるポリマーを沈殿させる工程ｄ）と、
任意に、工程ｄ）の終わりに得られた前記沈殿物を乾燥する工程ｅ）と、
を含むことを特徴とする、上に定義される高分子電解質を作製する方法を開示している。
【００３３】
上に定義される方法の工程ａ）で使用されるアンモニア含有中和剤として、例えば、アンモニア、又は炭酸水素アンモニウムがある。
【００３４】
上に定義される方法の工程ｂ）において、重合反応は、ジラウロイルペルオキシド、アゾビス（イソブチロニトリル）又はアゾ誘導体等のホモリシスによってラジカルを生成するラジカル開始剤を使用して、一般的に５０℃以上の温度で開始される。
【００３５】
上記方法の別の実施形態によれば、上に定義されるように、重合反応は酸化還元対によって開始される。
【００３６】
上に定義される方法の工程ｃ）において、ナトリウム陽イオン及びカリウム陽イオンによるアンモニウム陽イオンの交換をナトリウムｔｅｒｔ−ブトキシド又はカリウムｔｅｒｔ−ブトキシドを用いて行ってもよい。
【００３７】
上に定義される方法の工程ｄ）において、高分子電解質の沈殿を、溶剤を蒸発させること、又は沈殿物を濾別することのいずれかによって行う。
【００３８】
また、本発明の主題は、化粧品、皮膚医薬、又は医薬の局所組成物の増粘剤及び／又は安定化剤及び／又は乳化剤としての上に定義されるアニオン性高分子電解質の使用である。
【００３９】
本発明によるアニオン性高分子電解質は、より具体的には、化粧品組成物における固体粒子の懸濁剤として使用される。懸濁されるこれらの固体粒子は、様々な規則的な又は不規則な配置を有してもよく、ビーズ、球、ロッド、フレーク、ラメラ又は多角体の形態であってもよい。これらの固体粒子は、１マイクロメートル〜５ミリメートル、より具体的には１０マイクロメートル〜１ミリメートルの見掛け上の平均直径を特徴とする。
【００４０】
化粧品組成物における本発明による高分子電解質によって懸濁し得る固体粒子の中でも、マイカ、酸化鉄、酸化チタン、酸化亜鉛、酸化アルミニウム、タルク、シリカ、カオリン、クレイ、窒化ホウ素、炭酸カルシウム、炭酸マグネシウム、炭酸水素マグネシウム、無機着色顔料、ポリアミド、例えば、ナイロン−６、ポリエチレン、ポリプロピレン、ポリスチレン、ポリエステル、アクリル系又はメタクリル系ポリマー、例えば、ポリ（メチルメタクリレート）、ポリテトラフルオロエチレン、結晶性又は微結晶性ワックス、多孔質球、硫化セレン、ジンクピリチオン、デンプン、アルジネート、植物繊維、ヘチマ粒子（Loofah particles）、及びスポンジ粒子がある。
【００４１】
化粧品組成物におけるその固体粒子を懸濁する特性を最適化するため、本発明によるアニオン性高分子電解質を、低分子量又は中分子量のアクリルコポリマー等の化粧品組成物の調製に一般的に使用される懸濁剤と組合せることができる。
【００４２】
最後に、本発明の主題は、通常、０．１重量％〜１０重量％、より具体的には１重量％〜５重量％の上に定義されるアニオン性高分子電解質を含む、本発明による局所組成物である。該局所組成物のｐＨは、好ましくは３以上であり、より具体的には４．５以上であり、更に具体的には５．０以上である。
【００４３】
「局所」の表現は、本発明による組成物が皮膚、毛髪、頭皮又は粘膜への塗布によって使用されることを意味し、直接の塗布、又は皮膚と接触させることが意図される支持体（紙、ワイプ、織物、経皮デバイス等）に本発明による局所組成物を含浸する場合の間接的な塗布である。
【００４４】
本発明による局所組成物は、任意の物理的形態、例えば水性アルコール又は水性グリコールの水性ゲルの形態、溶液、粉末、懸濁物、油中水型、水中油型、水中油中水型若しくは油中水中油型のいずれかのエマルジョン、マイクロエマルジョン又はナノエマルジョンの形態であってもよい。
【００４５】
本発明による局所組成物は、ビン、ポンプ「ビン」式デバイス、加圧形態又はエアロゾルデバイス、グリッド等の有孔壁を備えたデバイス又はボールアプリケーターを備えたデバイス（「ロールオン」と呼ばれる）に充填されてもよい。
【００４６】
また、一般的に本発明による局所組成物は、発泡性及び／又は洗浄用界面活性剤、増粘及び／又はゲル化界面活性剤、増粘剤及び／又はゲル化剤、安定化剤、皮膜形成化合物、溶剤及び共溶剤、ハイドロトロープ剤、湧水又は鉱水、可塑剤、乳化剤及び共乳化剤、乳白剤、真珠光沢剤（nacreous agents）、過脂剤（overfatting agents）、金属イオン封鎖剤、キレート剤、油、ワックス、抗酸化剤、香料、精油、防腐剤、調整剤、防臭剤、体毛及び皮膚の漂白が意図されるホワイトニング剤、皮膚若しくは毛髪に関して治療及び／又は保護の作用を与えることが意図される有効成分、日焼け止め剤、無機フィラー若しくは無機顔料、視覚効果を与える若しくは活性剤の封入が意図される粒子、剥離性粒子（exfoliant particles）、テクスチャリング剤、蛍光増白剤、又は防虫剤等の局所用途に対する製剤の分野で通常使用される化学添加剤を含む。
【００４７】
本発明による局所組成物に任意で存在する発泡性及び／又は洗浄用界面活性剤の例として、アニオン性、カチオン性、両性又は非イオン性の発泡性及び／又は洗浄用界面活性剤が挙げられ得る。
【００４８】
本発明による局所組成物において使用し得るアニオン性起泡性及び／又は洗浄用界面活性剤の中でも、アルカリ金属塩、アルカリ土類金属塩、アンモニウム塩、アルキルエーテルスルフェートのアミン塩若しくはアミノアルコール塩、アルキルスルフェート、アルキルアミドエーテルスルフェート、アルキルアリールポリエーテルスルフェート、モノグリセリドスルフェート、α−オレフィンスルホネート、パラフィンスルホネート、アルキルホスフェート、アルキルエーテルホスフェート、アルキルスルホネート、アルキルアミドスルホネート、アルキルアリールスルホネート、アルキルカルボキシレート、アルキルスルホサクシネート、アルキルエーテルスルホサクシネート、アルキルアミドスルホサクシネート、アルキルスルホアセテート、アルキルサルコシネート、アシルイセチオネート、Ｎ−アシルタウレート、アシルラクチレート、アミノ酸のＮ−アシル化誘導体、ペプチドのＮ−アシル化誘導体、タンパク質のＮ−アシル化誘導体、又は脂肪酸のＮ−アシル化誘導体に言及することができる。
【００４９】
本発明による局所組成物において使用し得る両性起泡性及び／又は洗浄用界面活性剤の中でも、アルキルベタイン、アルキルアミドベタイン、スルタイン、アルキルアミドアルキルスルホベタイン、イミダゾリン誘導体、ホスホベタイン、アンホポリアセテート（amphopolyacetates）及びアンホプロピオネート（amphopropionates）に言及することができる。
【００５０】
本発明による局所組成物において使用し得るカチオン性起泡性及び／又は洗浄用界面活性剤の中でも、第四級アンモニウム誘導体に特に言及することができる。
【００５１】
本発明による局所組成物に使用され得る非イオン性の発泡性及び／又は洗浄用界面活性剤の中でも、より具体的には、オクチルポリグルコシド、デシルポリグルコシド、ウンデシレニルポリグルコシド、ドデシルポリグルコシド、テトラデシルポリグルコシド、ヘキサデシルポリグルコシド、１，１２−ドデカンジイルポリグルコシド等の炭素数８〜１６
であり、直鎖又は分岐鎖、及び飽和又は不飽和の脂肪族ラジカルを含むアルキルポリグリコシド；ＩＮＣＩ名「Ｐｅｇ−４０水素化ヒマシ油」で販売される製品等の水素化ヒマシ油のエトキシ化誘導体；Ｐｏｌｙｓｏｒｂａｔｅ  ２０、Ｐｏｌｙｓｏｒｂａｔｅ  ４０、Ｐｏｌｙｓｏｒｂａｔｅ  ６０、Ｐｏｌｙｓｏｒｂａｔｅ  ７０、Ｐｏｌｙｓｏｒｂａｔｅ  ８０、又はＰｏｌｙｓｏｒｂａｔｅ  ８５等のポリソルベート；ココナツアミド；又はＮ−アルキルアミンに言及することができる。
【００５２】
また、少なくとも１つの発泡性界面活性剤を含む本発明による局所組成物において、上記発泡性界面活性剤と本発明によるアニオン性高分子電解質との間の重量比は、１／１０以上４０／１以下、より具体的には１／１以上４０／１以下、更に具体的には４／１以上４０／１以下である。上に定義される少なくとも１つの発泡性界面活性剤と本発明によるアニオン性高分子電解質との組合せは、少量の泡沫を生じ、該泡沫を構成する気泡が安定で、顔への塗布の間、眼への刺激リスクを制限するのに十分微細なサイズである局所組成物を得ることを可能とする。本発明によるかかる局所組成物は、組成物の重量１００％に対して、
０．１重量％〜５重量％の本発明によるアニオン性高分子電解質と、
１０重量％〜５０重量％の少なくとも１つの発泡性界面活性剤と、
０．０１重量％〜１０重量％の遊離の又は部分的若しくは完全に塩化された、α−ヒドロキシ酸及びβ−ヒドロキシ酸からなる群から選択される少なくとも１つの酸剤（Ａ）と、
８９．９９％〜３５％の水と、
を含む。
【００５３】
本発明による局所組成物に任意で存在する増粘及び／又はゲル化界面活性剤の例として、任意にアルコキシル化されたアルキルポリグルコシド脂肪エステル、例えば、それぞれＧｌｕｃａｍａｔｅ（商標）  ＬＴ及びＧｌｕｍａｔｅ（商標）  ＤＯＥ１２０の名称で販売されているＰＥＧ１２０メチルグルコーストリオレエート及びＰＥＧ１２０メチルグルコースジオレエート等のエトキシ化メチルポリグルコシドエステル；Ｃｒｏｔｈｉｘ（商標）  ＤＳ５３の名称で販売されているテトラステアリン酸ＰＥＧ１５０ペンタエリスリチル、Ａｎｔｉｌ（商標）  １４１の名称で販売されているオレイン酸ＰＥＧ５５プロピレングリコール等のアルコキシル化された脂肪エステル；脂肪鎖ポリアルキレングリコールカルバメート、例えばＥｌｆａｃｏｓ（商標）  Ｔ２１１の名称で販売されているＰＰＧ−１４ラウレスイソホリルジカルバメート、又はＥｌｆａｃｏｓ（商標）  ＧＴ２１２５の名称で販売されているＰＰＧ−１４パルメト−６０へキシルジカルバメートが挙げられ得る。
【００５４】
本発明による局所組成物に任意で存在する増粘剤及び／又はゲル化剤の例として、高分子電解質種の直鎖又は分岐鎖又は架橋されたポリマー、例えばアクリル酸ホモポリマー、メタクリル酸ホモポリマー、２−メチル−［（１−オキソ−２−プロペニル）アミノ］−１−プロパンスルホン酸（ＡＭＰＳ）のホモポリマー、アクリル酸とＡＭＰＳとのコポリマー、アクリルアミドとＡＭＰＳとのコポリマー、ビニルピロリドンとＡＭＰＳとのコポリマー、ＡＭＰＳと（２−ヒドロキシエチル）アクリレートとのコポリマー、ＡＭＰＳと（２−ヒドロキシエチル）メタクリレートとのコポリマー、ＡＭＰＳとヒドロキシエチルアクリルアミドとのコポリマー、ＡＭＰＳとＮ，Ｎ−ジメチルアクリルアミドとのコポリマー、ＡＭＰＳとトリス（ヒドロキシル−メチル）アクリルアミドメタン（ＴＨＡＭ）とのコポリマー、アクリル酸又はメタクリル酸と（２−ヒドロキシエチル）アクリレートとのコポリマー、アクリル酸又はメタクリル酸と（２−ヒドロキシエチル）メタクリレートとのコポリマー、アクリル酸又はメタクリル酸とヒドロキシエチルアクリルアミドとのコポリマー、アクリル酸又はメタクリル酸とＴＨＡＭとのコポリマー、アクリル酸又はメタクリル酸とＮ，Ｎ−ジメチルアクリルアミドとのコポリマー、アクリル酸又はメタクリル
酸とＡＭＰＳと（２−ヒドロキシエチル）アクリレートとのターポリマー、アクリル酸又はメタクリル酸とＡＭＰＳと（２−ヒドロキシエチル）メタクリレートとのターポリマー、アクリル酸又はメタクリル酸とＡＭＰＳとＴＨＡＭとのターポリマー、アクリル酸又はメタクリル酸とＡＭＰＳとＮ，Ｎ−ジメチルアクリルアミドとのターポリマー、アクリル酸又はメタクリル酸とＡＭＰＳとアクリルアミドとのターポリマー、アクリル酸又はメタクリル酸と、炭素に基づく鎖が炭素数４〜３０、より具体的には炭素数１０〜３０のアルキルアクリレートとのコポリマー、ＡＭＰＳと炭素に基づく鎖が炭素数４〜３０、より具体的には炭素数１０〜３０のアルキルアクリレートとのコポリマーが挙げられ得る。本発明による局所組成物に任意で存在する高分子電解質種の直鎖又は分岐鎖又は架橋されたポリマーは、溶液、水性懸濁物、油中水型エマルジョン、水中油型エマルジョン、又は粉末の形態であってもよい。本発明による局所組成物に任意に存在する高分子電解質型の直鎖又は分岐又は架橋ポリマーは、Ｓｉｍｕｌｇｅｌ（商標）  ＥＧ、Ｓｉｍｕｌｇｅｌ（商標）ＥＰＧ、Ｓｅｐｉｇｅｌ（商標）  ３０５、Ｓｉｍｕｌｇｅｌ（商標）  ６００、Ｓｉｍｕｌｇｅｌ（商標）  ＮＳ、Ｓｉｍｕｌｇｅｌ（商標）  ＩＮＳ  １００、Ｓｉｍｕｌｇｅｌ（商標）  ＦＬ、Ｓｉｍｕｌｇｅｌ（商標）  Ａ、Ｓｉｍｕｌｇｅｌ  （商標）
ＳＭＳ  ８８、Ｓｅｐｉｎｏｖ（商標）ＥＭＴ  １０、Ｓｅｐｉｐｌｕｓ（商標）４００、Ｓｅｐｉｐｌｕｓ（商標）２６５、Ｓｅｐｉｐｌｕｓ（商標）Ｓ、Ａｒｉｓｔｏｆｌｅｘ（商標）ＡＶＣ、Ａｒｉｓｔｏｆｌｅｘ（商標）ＡＶＳ、Ｎｏｖｅｍｅｒ（商標）ＥＣ−１、Ｆｌｏｃａｒｅ（商標）ＥＴ  ２５、Ｆｌｏｃａｒｅ（商標）ＥＴ  ７５、Ｆｌｏｃａｒｅ（商標）ＥＴ  ２６、Ｆｌｏｃａｒｅ（商標）ＥＴ  ３０、Ｆｌｏｃａｒｅ（商標）ＥＴ  ５８、Ｆｌｏｃａｒｅ（商標）ＰＳＤ  ３０、Ｖｉｓｃｏｌａｍ（商標）ＡＴ  ６４、Ｖｉｓｃｏｌａｍ（商標）ＡＴ  １００の名前で販売されている製品から選択され得る。
【００５５】
本発明による局所組成物に任意で存在する増粘剤及び／又はゲル化剤の例として、グルカン又はグルコースのホモポリマー、グルコマンノグルカン、キシログリカン、Ｄ−マンノースの主鎖に対するＤ−ガラクトース単位の置換度（ＤＳ）が０〜１、より具体的には１〜０．２５であるガラクトマンナン、例えばカシアガム（ＤＳ＝１／５）、ローカストビーンガム（ＤＳ＝１／４）、タラガム（ＤＳ＝１／３）、グアーガム（ＤＳ＝１／２）、又はフェヌグリークガム（ＤＳ＝１）を起源とするガラクトマンナン等の単糖のみからなる多糖が挙げられ得る。
【００５６】
本発明による局所組成物に任意で存在する増粘剤及び／又はゲル化剤の例として、硫酸化されたガラクタン、より具体的にはカラギーナン及びアガー、ウロナン（uronans）、より具体的にはアルギン、アルギン酸塩及びペクチン等の単糖の誘導体からなる多糖、単糖とウロン酸とのヘテロポリマー、より具体的にはキサンタンガム、ゲランガム、アラビアガム及びカラヤガムの滲出液、並びにグルコサミノグリカンが挙げられ得る。
【００５７】
また、ガラクトマンナン、アラビアガム、及びキサンタンガムからなる群から選択される少なくとも１つの多糖を含む本発明による局所組成物において、上記多糖と本発明によるアニオン性高分子電解質との重量比は、１／３以上３／１以下、より具体的には１／２以上３／２以下である。上に定義される多糖と、本発明によるアニオン性高分子電解質との組合せは、塩に富むエマルジョンの形態であり、長期の保存期間を経た後に高い粘度及び均一な外観を維持する本発明による局所組成物を得ることを可能とする。かかる本発明による局所組成物は、組成物の重量１００％に対して、０．１重量％〜２５重量％の少なくとも１つの塩を含むことができ、３００００ｍＰａ・ｓ以上２０００００ｍＰａ・ｓ以下のブルックフィールド粘度計を用いて２０℃で測定される動粘度を有することができる。
【００５８】
本発明による局所組成物に任意で存在する増粘剤及び／又はゲル化剤の例として、セル
ロース、セルロース誘導体、例えば、メチルセルロース、エチルセルロース又はヒドロキシプロピルセルロース、シリケート、デンプン、親水性デンプン誘導体、及びポリウレタンが挙げられ得る。
【００５９】
本発明による局所組成物に任意で存在する安定化剤の例として、例えば、微結晶性ワックス、より具体的にはオゾケライト、無機塩、例えば、塩化ナトリウム又は塩化マグネシウム、及びシリコーンポリマー、例えば、ポリシロキサンポリアルキルポリエーテルコポリマーが挙げられ得る。
【００６０】
本発明による局所組成物に任意で存在する溶媒の例として、水、有機溶媒、例えば、グリセロール、ジグリセロール、グリセロールオリゴマー、エチレングリコール、プロピレングリコール、ブチレングリコール、１，３−プロパンジオール、１，２−プロパンジオール、ヘキシレングリコール、ジエチレングリコール、キシリトール、エリスリトール、ソルビトール、水溶性アルコール、例えば、エタノール、イソプロパノール又はブタノール、及び水と該有機溶媒との混合物が挙げられ得る。
【００６１】
本発明による局所組成物に任意で存在する湧水又は鉱水の例として、少なくとも３００ｍｇ／ｌの無機質分（mineralization）を有する湧水又は鉱水、特にアベンヌの水、ヴィッテルの水、ヴィシーベースン（Vichy basin）の水、ユリアージュの水、ロッシュポゼの水、ブルブールの水、アンギャン−レ−バンの水、サン−ジェルヴェ−レ−バンの水、ネリ−レ−バンの水、アルバール−レ−バンの水、ディーニュの水、マジエールの水、ネイラック−レ−バンの水、ロン−ル−ソーニエの水、ロシュフォールの水、サン−クリストの水、フュマードの水及びテルシ−レ−バンの水が挙げられ得る。
【００６２】
本発明による局所組成物に任意で存在するヒドロトロープ剤の例として、キシレンスルホネート、クメンスルホネート、ヘキシルポリグルコシド、２−エチルヘキシルポリグルコシド及びｎ−ヘプチルポリグルコシドが挙げられ得る。
【００６３】
本発明による局所組成物に任意で存在する乳化界面活性剤の例として、非イオン性界面活性剤、アニオン性界面活性剤及びカチオン性界面活性剤が挙げられ得る。
【００６４】
本発明による局所組成物に任意で存在する非イオン性乳化界面活性剤の例として、ソルビトールの脂肪酸エステル、例えばＭｏｎｔａｎｅ（商標）４０、Ｍｏｎｔａｎｅ（商標）６０、Ｍｏｎｔａｎｅ（商標）７０、Ｍｏｎｔａｎｅ（商標）８０及びＭｏｎｔａｎｅ（商標）８５の名称で販売されている製品；ステアリン酸グリセリル及び５ｍｏｌ〜１５０ｍｏｌのエチレンオキシドでエトキシ化されたステアリン酸を含む組成物、例えばＳｉｍｕｌｓｏｌ（商標）  １６５の名称で販売されている１３５ｍｏｌのエチレンオキシドでエトキシ化されたステアリン酸及びステアリン酸グリセリルを含む組成物；マンニタンエステル；エトキシ化マンニタンエステル；ショ糖エステル；メチルグルコシドエステル；テトラデシルポリグルコシド、ヘキサデシルポリグルコシド、オクタデシルポリグルコシド、ヘキサデシルポリキシロシド、オクタデシルポリキシロシド、エイコシルポリグルコシド、ドデコシル（dodecosyl）−ポリグルコシド、２−オクチルドデシルポリキシロシド、又は１２−ヒドロキシステアリルポリグルコシド等の炭素数１４〜３６の直鎖又は分岐鎖及び飽和又は不飽和の脂肪族ラジカルを含むアルキルポリグルコシド；炭素数１４〜３６の直鎖又は分岐鎖及び飽和又は不飽和の脂肪アルコールと上に記載されるアルキルポリグリコシドとの組成物が挙げられ得る。
【００６５】
本発明による局所組成物に任意で存在する非イオン性界面活性剤の例として、グリセリルステアレートシトレート、セテアリルスルフェート、石鹸、例えば、ステアリン酸ナトリウム又はステアリン酸トリエタノールアンモニウム、及び塩化されたＮ−アシル化アミ
ノ酸誘導体、例えば、ステアロイルグルタメートが挙げられ得る。
【００６６】
本発明による局所組成物に任意で存在するカチオン性乳化界面活性剤の例として、アミンオキシド、クオタニウム−８２、及び特許出願の国際公開第９６／００７１９号に記載される界面活性剤、主に脂肪鎖が少なくとも炭素数１６のものが挙げられ得る。
【００６７】
本発明による局所組成物に任意で存在する乳白剤及び／又は真珠光沢剤の例として、パルミチン酸ナトリウム、ステアリン酸ナトリウム、ヒドロキシステアリン酸ナトリウム、パルミチン酸マグネシウム、ステアリン酸マグネシウム、ヒドロキシステアリン酸マグネシウム、モノステアリン酸エチレングリコール、ジステアリン酸エチレングリコール、モノステアリン酸ポリエチレングリコール、ジステアリン酸ポリエチレングリコール、及び炭素数１２〜２２の脂肪アルコールが挙げられ得る。
【００６８】
本発明による局所組成物に任意で存在するテクスチャリング剤の例として、アミノ酸のＮ−アシル化誘導体、例えば、Ａｍｉｎｏｈｏｐｅ（商標）ＬＬの名前で販売されているラウロイルリジン、Ｄｒｙｆｌｏ（商標）の名前で販売されているオクテニルデンプンサクシネート、Ｍｏｎｔａｎｏｖ（商標）  １４の名前で販売されているミリスチルポリグルコシド、セルロース繊維、綿繊維、キトサン繊維、タルク、セリサイト及びマイカが挙げられ得る。
【００６９】
本発明による局所組成物に任意で存在する脱臭剤の例として、例えば、ケイ酸アルカリ金属、亜鉛塩、例えば、硫酸亜鉛、グルコン酸亜鉛、塩化亜鉛又は乳酸亜鉛；第四級アンモニウム塩、例えば、セチルトリメチルアンモニウム塩、セチルピリジニウム塩；グリセロール誘導体、例えば、グリセリルカプレート、グリセリルカプリレート、ポリグリセリルカプレート；１，２−デカンジオール；１，３−プロパンジオール；サリチル酸；重炭酸ナトリウム；シクロデキストリン；金属ゼオライト；Ｔｒｉｃｌｏｓａｎ（商標）；アルミニウムブロモハイドレート、アルミニウムクロロハイドレート、塩化アルミニウム、硫酸アルミニウム、アルミニウムジルコニウムクロロハイドレート、アルミニウムジルコニウムトリクロロハイドレート、アルミニウムジルコニウムテトラクロロハイドレート、アルミニウムジルコニウムペンタクロロハイドレート、アルミニウムジルコニウムオクタ（octa）クロロハイドレート、硫酸アルミニウム、乳酸ナトリウムアルミニウム、アルミニウムクロロハイドレートとグリコールとの錯体、例えば、アルミニウムクロロハイドレートとプロピレングリコールとの錯体、アルミニウムジクロロハイドレートとプロピレングリコールとの錯体、アルミニウムセスキクロロハイドレートとプロピレングリコールとの錯体、アルミニウムクロロハイドレートとポリエチレングリコールとの錯体、アルミニウムジクロロハイドレートとポリエチレングリコールとの錯体、及びアルミニウムセスキクロロハイドレートとポリエチレングリコールとの錯体が挙げられ得る。
【００７０】
本発明による局所組成物に任意で存在する油の例として、鉱油、例えば、パラフィン、流動石油ゼリー（liquid petroleum jelly）、イソパラフィン又は白色鉱油；動物由来の油、例えば、スクアレン又はスクアラン；植物油、例えば、フィトスクアラン、甘扁桃油、ヤシ油、ヒマシ油、ホホバ油、オリーブ油、ナタネ油、ピーナッツ油、ヒマワリ油、小麦胚芽油、トウモロコシ胚芽油、大豆油、綿実油、アルファルファ（alfalfa）油、ケシ油、カボチャ油、マツヨイグサ油、キビ油（millet oil）、大麦油、ライ麦油、ベニバナ油、キャンドルナッツ油、トケイソウ油、ヘイゼルナッツ油、パーム油、シアバター、杏仁油、ビューティーリーフ油、キバナハタザオ油（sysymbrium oil）、アボカド油、カレンデュラ油、花又は野菜（vegetables）由来の油、エトキシ化植物油；合成油、例えば、脂肪酸エステル、例えば、ブチルミリステート、プロピルミリステート、イソプロピルミリステート、セチルミリステート、イソプロピルパルミテート、オクチルパルミテート、ブチルステアレート、ヘキサデシルステアレート、イソプロピルステアレート、オクチル
ステアレート、イソセチルステアレート、ドデシルオレエート、ヘキシルラウレート、プロピレングリコールジカプリレート、ラノリン酸（lanolic acid）由来エステル、例えば、イソプロピルラノレート、イソセチルラノレート、脂肪酸モノグリセリド、ジグリセリド及びトリグリセリド、例えば、グリセリルトリヘプタノエート、アルキルベンゾエート、硬化油、ポリ（α−オレフィン）、ポリオレフィン、例えば、ポリ（イソブタン）、合成イソアルカン、例えば、イソヘキサデカン、イソドデカン、過フッ化油；シリコーン油、例えば、ジメチルポリシロキサン、メチルフェニルポリシロキサン、アミンにより変性されたシリコーン、脂肪酸により変性されたシリコーン、アルコールにより変性されたシリコーン、アルコール及び脂肪酸により変性されたシリコーン、ポリエーテル基により変性されたシリコーン、エポキシ変性シリコーン、フルオロ基により変性されたシリコーン、環状シリコーン、並びにアルキル基により変性されたシリコーンが挙げられ得る。「油」の用語は、本出願では、水に不溶性であり、２５℃の温度で液体の性状を有する化合物及び／又は化合物の混合物を意味することが意図される。
【００７１】
本発明による局所組成物に任意で存在するワックスの例として、ミツロウ、カルナウバワックス、キャンデリラワックス、オーリクリーワックス、モクロウ、コルクファイバーワックス（cork fiber wax）、サトウキビワックス、パラフィンワックス、亜炭ワックス、微結晶性ワックス、ラノリンワックス；オゾケライト、ポリエチレンワックス；シリコーンワックス；植物性ワックス；周囲温度で固体の脂肪アルコール及び脂肪酸；周囲温度で固体のグリセリドが挙げられ得る。「ワックス」の用語は、本出願では、水に不溶性であり、４５℃以上の温度で固体の性状を有する化合物及び／又は化合物の混合物を意味することが意図される。
【００７２】
本発明による局所組成物に任意で存在する有効成分の例として、レチノール（ビタミンＡ）及びそのエステル（例えばパルミチン酸レチニル）、アスコルビン酸（ビタミンＣ）及びそのエステル、アスコルビン酸の糖誘導体（例えばアスコルビルグルコシド）、トコフェロール（ビタミンＥ）及びそのエステル（例えば酢酸トコフェロール）、ビタミンＢ３又はＢ１０（ナイアシンアミド及びその誘導体）等のビタミン及びそれらの誘導体、特にそれらのエステル；美白作用又は脱色素（depigmenteding）作用を示す化合物、例えばＳｅｐｉｗｈｉｔｅ（商標）ＭＳＨの名称で販売されているω−ウンデシレノイル（undecylenoyl）フェニルアラニン、Ｓｅｐｉｃａｌｍ（商標）ＶＧ、ω−ウンデシレノイルフェニルアラニンのグリセロールモノエステル及び／又はジエステル、ω−ウンデシレノイルジペプチド、アルブチン、コウジ酸、ハイドロキノン；鎮静作用を示す化合物、特にＳｅｐｉｃａｌｍ（商標）  Ｓ、アラントイン、及びビサボロール；消炎剤；尿素、ヒドロキシウレア、グリセロール、ポリグリセロール、グリセロールグルコシド、ジグリセロールグルコシド、ポリグリセリルグルコシド、キシリチルグルコシド等の保湿作用を示す化合物；ポリフェノールに富む植物抽出物、例えばブドウ抽出物、マツ抽出物、ワイン抽出物、オリーブ抽出物；痩身作用又は脂肪分解作用を示す化合物、例えばカフェイン又はその誘導体、Ａｄｉｐｏｓｌｉｍ（商標）、Ａｄｉｐｏｌｅｓｓ（商標）、フコキサンチン；Ｎ−アシル化タンパク質；Ｎ−アシル化ペプチド、例えばＭａｔｒｉｘｉｌ（商標）；Ｎ−アシル化アミノ酸；Ｎ−アシル化タンパク質の部分加水分解物；アミノ酸；ペプチド；全タンパク質加水分解物；ダイズ抽出物、例えばＲａｆｆｅｒｍｉｎｅ（商標）；小麦抽出物、例えばＴｅｎｓｉｎｅ（商標）又はＧｌｉａｄｉｎｅ（商標）；タンニンに富む植物抽出物、イソフラボンに富む植物抽出物、又はテルペンに富む植物抽出物等の植物抽出物；淡水又は海水の藻類の抽出物；海洋植物抽出物；サンゴ等の一般の海洋抽出物；エッセンシャルワックス；細菌抽出物；セラミド；リン脂質；抗菌作用又は浄化作用を示す化合物、例えばＬｉｐａｃｉｄｅ（商標）  Ｃ８Ｇ、Ｌｉｐａｃｉｄｅ（商標）  ＵＧ、Ｓｅｐｉｃｏｎｔｒｏｌ（商標）  Ａ５；Ｏｃｔｏｐｉｒｏｘ（商標）又はＳｅｎｓｉｖａ（商標）  ＳＣ５０；活性付与特性又は賦活特性を示す化合物、例えばＰｈｙｓｉｏｇｅｎｙｌ（商標）、パンテノール及びその誘導体、例えばＳｅｐｉｃａｐ（商標）  ＭＰ
；アンチエイジング活性剤、例えばＳｅｐｉｌｉｆｔ（商標）  ＤＰＨＰ、Ｌｉｐａｃｉｄｅ（商標）  ＰＶＢ、Ｓｅｐｉｖｉｎｏｌ（商標）、Ｓｅｐｉｖｉｔａｌ（商標）、Ｍａｎｏｌｉｖａ（商標）、Ｐｈｙｔｏ−Ａｇｅ（商標）、Ｔｉｍｅｃｏｄｅ（商標）；Ｓｕｒｖｉｃｏｄｅ（商標）；抗光老化活性剤；表皮真皮接合部の完全性を保護する薬剤；コラーゲン、エラスチン、グリコサミノグリカン等の細胞外マトリクス化合物の合成を増加する薬剤；化学的細胞伝達に有利に作用する活性剤、例えばサイトカイン、又は物理的細胞伝達に有利に作用する活性剤、例えばインテグリン；皮膚に対して「熱」感をもたらす活性剤、例えば皮膚の微小循環活性化剤（例えば、ニコチン酸誘導体）又は皮膚に対して「清涼」感をもたらす製品（例えばメントール及び誘導体）；皮膚の微小循環を改善する活性剤、例えばベノトニック剤（venotonic）；排出活性剤；鬱血緩和目的の活性剤、例えばイチョウ（ginkgo biloba）、ツタ、セイヨウトチノキ、タケ、ルスクス、ナギイカダ、ツボクサ（Centalla asiatica）、ヒバマタ、ローズマリー、ヤナギの抽出物；皮膚の日焼け用又は褐色化用の薬剤、例えばジヒドロキシアセトン、イサチン、アロキサン、ニンヒドリン、グリセルアルデヒド、メソ酒石酸（mesotartaric）アルデヒド、グルタルアルデヒド、エリトルロースが挙げられ得る。
【００７３】
本発明による局所組成物に任意で存在する抗酸化剤の例として、ＥＤＴＡ及びその塩、クエン酸、酒石酸、シュウ酸、ＢＨＡ（ブチルヒドロキシアニソール）、ＢＨＴ（ブチルヒドロキシトルエン）、酢酸トコフェロール等のトコフェロール誘導体、ＩＮＣＩ名：グルタミン酸二酢酸四ナトリウムで企業Akzo Nobelによって販売されているＤｉｓｓｏｌｖｉｎｅ（商標）  ＧＬ  ４７Ｓ等の抗酸化化合物の混合物が挙げられ得る。
【００７４】
本発明による局所組成物に任意で存在する日焼け止め剤の例として、改正化粧品指令７６／７６８／ＥＥＣ付属書ＶＩＩにあるものが挙げられ得る。本発明による局所組成物に任意で存在する有機日焼け止め剤の中でも、安息香酸誘導体類、例えば、パラ−アミノ安息香酸（ＰＡＢＡ）、特にＰＡＢＡのモノグリセリルエステル、Ｎ，Ｎ−プロポキシＰＡＢＡのエチルエステル、Ｎ，Ｎ−ジエトキシＰＡＢＡのエチルエステル、Ｎ，Ｎ−ジメチル−ＰＡＢＡのエチルエステル、Ｎ，Ｎ−ジメチル−ＰＡＢＡのメチルエステル、Ｎ，Ｎ−ジメチル−ＰＡＢＡのブチルエステル；アントラニル酸誘導体類、例えば、ホモメンチル−Ｎ−アセチルアントラニレート；サリチル酸誘導体類、例えば、アミルサリチレート、ホモメンチルサリチレート、エチルヘキシルサリチレート、フェニルサリチレート、ベンジルサリチレート、又はｐ−イソプロピルフェニルサリチレート；ケイ皮酸誘導体類、例えば、エチルヘキシルシンナメート、エチル−４−イソプロピルシンナメート、メチル２，５−ジイソプロピルシンナメート、プロピルｐ−メトキシシンナメート、イソプロピルｐ−メトキシシンナメート、イソアミルｐ−メトキシシンナメート、オクチルｐ−メトキシシンナメート（２−エチルヘキシルｐ−メトキシシンナメート）、２−エトキシエチルｐ−メトキシシンナメート、シクロヘキシルｐ−メトキシシンナメート、エチルα−シアノ−β−フェニルシンナメート、２−エチルヘキシルα−シアノ−β−フェニルシンナメート、モノ（２−エチルヘキサノイル）グリセリルジ（パラ−メトキシシンナメート）；ベンゾフェノン誘導体類、例えば、２，４−ジヒドロキシベンゾフェノン、２，２’−ジヒドロキシ−４−メトキシ-ベンゾフェノン、２，２’，４，４’−テトラヒドロキシベンゾフェノン、２−ヒドロキシ−４−メトキシベンゾフェノン、２−ヒドロキシ−４−メトキシ−４’−メチルベンゾフェノン、２−ヒドロキシ−４−メトキシベンゾフェノン−５−スルホネート、４−フェニルベンゾフェノン、２−エチルヘキシル−４’−フェニルベンゾフェノン−２−カルボキシレート、２−ヒドロキシ−４−ｎ−オクチルオキシベンゾフェノン、４−ヒドロキシ−３−カルボキシベンゾフェノン；３−（４’−メチルベンジリデン）−ｄ，ｌ−カンファー、３−（ベンジリデン）−ｄ，ｌ−カンファー、カンファーベンザルコニウムメトスルフェート；ウロカニン酸、エチルウロカネート；スルホン酸誘導体類、例えば、２−フェニルベンズイミダゾール−５スルホン酸及びその塩；トリアジン誘導体類、例えば、ヒドロキシフェニルトリアジン、エチルヘキシルオキシヒド
ロキシフェニル−４−メトキシフェニルトリアジン、２，４，６−トリアニリノ（anilino）−（ｐ−カルボ−２’−エチルヘキシル−１’−オキシ）−１，３，５−トリアジン、安息香酸４，４−（（６−（（（１，１−ジメチルエチル）アミノ）カルボニル）フェニル）アミノ）−１，３，５−トリアジン−２，４−ジイルジイミノ）ビス（２−エチルヘキシル）エステル、２−フェニル−５−メチルベンゾオキサゾール、２，２’−ヒドロキシ−５−メチルフェニルベンゾトリアゾール、２−（２’−ヒドロキシ−５’−ｔ−オクチルフェニル）ベンゾトリアゾール、２−（２’−ヒドロキシ−５’−メチル（methyl）フェニル）ベンゾトリアゾール；ジベンザジン；ジアニソイルメタン、４−メトキシ−４’’−ｔ−ブチルベンゾイルメタン；５−（３，３−ジメチル−２−ノルボルニリデン）−３−ペンタン−２−オン；ジフェニルアクリレート誘導体類、例えば、２−エチルヘキシル−２−シアノ−３，３−ジフェニル−２−プロペノエート、エチル−２−シアノ−３，３−ジフェニル−２−プロペノエート；ポリシロキサン類、例えば、ベンジリデンシロキサンマロネートに言及することができる。
【００７５】
本発明による局所組成物に任意で存在する「無機スクリーン（inorganic screens）としても知られる無機日焼け止め剤の中でも、酸化チタン、酸化亜鉛、酸化セリウム、酸化ジルコニウム、黄色、赤色、又は黒色酸化鉄、及び酸化クロムに言及することができる。これらの無機スクリーンは微粒子化されていてもそうでなくてもよく、表面処理を経ていてもそうでなくてもよく、任意に水性又は油性の予備分散物の形態で存在してもよい。
【００７６】
本発明による局所組成物は、より具体的には、経時的な保存に関して安定であり、使用される香料の嗅覚特性を損なわない、半透明若しくは透明、又は白っぽい外観を有し、局所組成物の重量１００％に対して、
０．１重量％〜４０重量％、より具体的には０．１重量％〜２０重量％、より具体的には１重量％〜１２重量％、更に具体的には１重量％〜１０重量％の少なくとも１つの香気（fragrancing）物質又は芳香（aromatizing）物質と、
５重量％〜９０重量％、より具体的には２０重量％〜７０重量％の少なくとも１つの揮発性溶剤と、
０．１重量％〜５重量％、より具体的には０．１重量％〜３．５重量％、より具体的には０．５重量％〜３重量％、更に具体的には０．８重量％〜２重量％の少なくとも１つの本発明によるアニオン性高分子電解質と、
任意に、９４．８重量％〜５重量％の水と、
２重量％〜２０重量％の上に定義される少なくとも１つの油及び／又は少なくとも１つのワックスと、
を含む香気組成物であってもよい。
【００７７】
「香気物質又は芳香物質」の用語は、多かれ少なかれ永続的な匂いを出すことができる天然起源又は合成起源の物質を示す。
【００７８】
本発明による局所組成物は、より具体的には、局所組成物の重量１００％に対して、
０．１重量％〜５重量％、より具体的には０．１５重量％〜２．５重量％の少なくとも１つの本発明によるアニオン性高分子電解質と、
０．０５重量％〜２重量％、より具体的には０．１５重量％〜２．５重量％の少なくとも１つの固体粒子と、
を含む固体粒子の懸濁物であってもよい。
【００７９】
本発明による局所組成物に存在する懸濁された固体粒子は、本出願において先に記載される。上記固体粒子の性質に応じて、懸濁物中に上記固体粒子を含む本発明による局所組成物を、身体の皮膚及び顔の皮膚の角質除去用ゲルとして、又は懸濁された粒子が保湿化粧用活性剤を含むマイクロスフェア、例えば、ヒアルロン酸を含むマイクロスフェアであ
る場合には皮膚のアンチエイジングケアのゲルとして使用することができる。
【００８０】
本発明による局所組成物は、より具体的には、皮膚、まつ毛、又は爪への塗布が意図される化粧組成物、例えば、ファンデーション組成物、マスカラ組成物、又はアイシャドー組成物であってもよい。本発明によるマスカラ組成物の調製に対する本発明による高分子電解質の使用は、化粧の除去の間、まつ毛からマスカラをより容易に除去することを可能とする。
【００８１】
以下の実施例は本発明を説明するが、本発明を限定するものではない。
【実施例】
【００８２】
実施例１（本発明による）：トリメチロールプロパントリアクリレートによって架橋された、アンモニウム２−メチル−２−［（１−オキソ−２−プロペニル）アミノ］−１−プロパンスルホネート、（２−ヒドロキシエチル）アクリレート、ステアリルメタクリレート、及びラウリルメタクリレートの架橋された高分子電解質（ＡＴＢＳ／ＨＥＡ／ＳＭＡ／ＬＡＵＭＡ：８８．１／９．９／１．５／０．５；高分子電解質１）
【００８３】
２４５ｇのｔｅｒｔ−ブタノールの入った２５℃に保持したリアクタに撹拌しながら以下を入れる：
３３．８ｇの２−アクリルアミド−２−メチルプロパンスルホン酸（ＡＴＢＳ）、
１２．９ｇの炭酸水素アンモニウム、
２．１２ｇの（２−ヒドロキシエチル）アクリレート（ＨＥＡ）、
０．９３ｇのステアリルメタクリレート（ＳＭＡ）、
０．２４ｇのラウリルメタクリレート（ＬＡＵＭＡ）、
０．５４ｇのトリメチロールプロパントリアクリレート（ＴＭＰＴＡ）。
【００８４】
上記溶液の良好な均質化を達成するのに十分な時間を経た後、窒素スパージングによって脱酸素を行い、次に上記媒質の温度を７０℃とする。所望の温度に達したら、０．５０ｇのジラウロイルペルオキシドを添加する。即時に重合が始まる。その後、該反応媒質をこの温度で約６０分間保持し、次に８０℃に加熱する。この温度を２時間保持した後、冷却する。重合中に形成された粉末を濾別して乾燥させ、高分子電解質１を得る。
【００８５】
実施例２（本発明による）：トリメチロールプロパントリアクリレートによって架橋された、アンモニウム２−メチル−２−［（１−オキソ−２−プロペニル）アミノ］−１−プロパンスルホネート、（２−ヒドロキシエチル）アクリレート、ステアリルメタクリレート、及びラウリルメタクリレートの架橋された高分子電解質（ＡＴＢＳ／ＨＥＡ／ＳＭＡ／ＬＡＵＭＡ：８８．１／９．９／１．０／１．０；高分子電解質２）
【００８６】
２４５ｇのｔｅｒｔ−ブタノールの入った２５℃に保持したリアクタに撹拌しながら以下を入れる：
３３．８ｇの２−アクリルアミド−２−メチルプロパンスルホン酸（ＡＴＢＳ）、
１２．９ｇの炭酸水素アンモニウム、
２．１２ｇの（２−ヒドロキシエチル）アクリレート（ＨＥＡ）、
０．６２ｇのステアリルメタクリレート（ＳＭＡ）、
０．４８ｇのラウリルメタクリレート（ＬＡＵＭＡ）、
０．５４ｇのトリメチロールプロパントリアクリレート（ＴＭＰＴＡ）。
【００８７】
上記溶液の良好な均質化を達成するのに十分な時間を経た後、窒素スパージングによって脱酸素を行い、次に上記媒質の温度を７０℃とする。所望の温度に達したら、０．５０ｇのジラウロイルペルオキシドを添加する。即時に重合が始まる。その後、該反応媒質を
この温度で約６０分間保持し、次に８０℃に加熱する。この温度を２時間保持した後、冷却する。重合中に形成された粉末を濾別して乾燥させ、高分子電解質２を得る。
【００８８】
実施例３（本発明による）：トリメチロールプロパントリアクリレートによって架橋された、アンモニウム２−メチル−２−［（１−オキソ−２−プロペニル）アミノ］−１−プロパンスルホネート、（２−ヒドロキシエチル）アクリレート、ステアリルメタクリレート、及びラウリルメタクリレートの架橋された高分子電解質（ＡＴＢＳ／ＨＥＡ／ＳＭＡ／ＬＡＵＭＡ：８８．１／９．９／０．７／１．３；高分子電解質３）
【００８９】
２４５ｇのｔｅｒｔ−ブタノールの入った２５℃に保持したリアクタに撹拌しながら以下を入れる：
３３．８ｇの２−アクリルアミド−２−メチルプロパンスルホン酸（ＡＴＢＳ）、
１２．９ｇの炭酸水素アンモニウム、
２．１２ｇの（２−ヒドロキシエチル）アクリレート（ＨＥＡ）、
０．４６ｇのステアリルメタクリレート（ＳＭＡ）、
０．６０ｇのラウリルメタクリレート（ＬＡＵＭＡ）、
０．５４ｇのトリメチロールプロパントリアクリレート（ＴＭＰＴＡ）。
【００９０】
上記溶液の良好な均質化を達成するのに十分な時間を経た後、窒素スパージングによって脱酸素を行い、次に上記媒質の温度を７０℃とする。所望の温度に達したら、０．５０ｇのジラウロイルペルオキシドを添加する。即時に重合が始まる。その後、該反応媒質をこの温度で約６０分間保持し、次に８０℃に加熱する。この温度を２時間保持した後、冷却する。重合中に形成された粉末を濾別して乾燥させ、高分子電解質３を得る。
【００９１】
実施例４（本発明による）：トリメチロールプロパントリアクリレートによって架橋された、アンモニウム２−メチル−２−［（１−オキソ−２−プロペニル）アミノ］−１−プロパンスルホネート、（２−ヒドロキシエチル）アクリレート、ステアリルメタクリレート、及びラウリルメタクリレートの架橋された高分子電解質（ＡＴＢＳ／ＨＥＡ／ＳＭＡ／ＬＡＵＭＡ：８８．１／９．９／０．３／１．７；高分子電解質４）
【００９２】
２４５ｇのｔｅｒｔ−ブタノールの入った２５℃に保持したリアクタに撹拌しながら以下を入れる：
３３．８ｇの２−アクリルアミド−２−メチルプロパンスルホン酸（ＡＴＢＳ）、
１２．９ｇの炭酸水素アンモニウム、
２．１２ｇの（２−ヒドロキシエチル）アクリレート（ＨＥＡ）、
０．１９ｇのステアリルメタクリレート（ＳＭＡ）、
０．８２ｇのラウリルメタクリレート（ＬＡＵＭＡ）、
０．５４ｇのトリメチロールプロパントリアクリレート（ＴＭＰＴＡ）。
【００９３】
上記溶液の良好な均質化を達成するのに十分な時間を経た後、窒素スパージングによって脱酸素を行い、次に上記媒質の温度を７０℃とする。所望の温度に達したら、０．５０ｇのジラウロイルペルオキシドを添加する。即時に重合が始まる。その後、該反応媒質をこの温度で約６０分間保持し、次に８０℃に加熱する。この温度を２時間保持した後、冷却する。重合中に形成された粉末を濾別して乾燥させ、高分子電解質４を得る。
【００９４】
実施例５（本発明による）：トリメチロールプロパントリアクリレートによって架橋された、アンモニウム２−メチル−２−［（１−オキソ−２−プロペニル）アミノ］−１−プロパンスルホネート、（２−ヒドロキシエチル）アクリレート、ステアリルメタクリレート、及びラウリルメタクリレートの架橋された高分子電解質（ＡＴＢＳ／ＨＥＡ／ＳＭＡ／ＬＡＵＭＡ：８６．４／９．７／１．９／２．０；高分子電解質５）
【００９５】
２４５ｇのｔｅｒｔ−ブタノールの入った２５℃に保持したリアクタに撹拌しながら以下を入れる：
３３．８ｇの２−アクリルアミド−２−メチルプロパンスルホン酸（ＡＴＢＳ）、
１２．９ｇの炭酸水素アンモニウム、
２．１２ｇの（２−ヒドロキシエチル）アクリレート（ＨＥＡ）、
１．２４ｇのステアリルメタクリレート（ＳＭＡ）、
０．９６ｇのラウリルメタクリレート（ＬＡＵＭＡ）、
０．５４ｇのトリメチロールプロパントリアクリレート（ＴＭＰＴＡ）。
【００９６】
上記溶液の良好な均質化を達成するのに十分な時間を経た後、窒素スパージングによって脱酸素を行い、次に上記媒質の温度を７０℃とする。所望の温度に達したら、０．５０ｇのジラウロイルペルオキシドを添加する。即時に重合が始まる。その後、該反応媒質をこの温度で約６０分間保持し、次に８０℃に加熱する。この温度を２時間保持した後、冷却する。重合中に形成された粉末を濾別して乾燥させ、高分子電解質５を得る。
【００９７】
実施例６（本発明による）：トリメチロールプロパントリアクリレートによって架橋された、アンモニウム２−メチル−２−［（１−オキソ−２−プロペニル）アミノ］−１−プロパンスルホネート、（２−ヒドロキシエチル）アクリレート、及びステアリルメタクリレート（ＡＴＢＳ／ＨＥＡ／ＳＭＡ：８８．２／９．８／２；高分子電解質６）
【００９８】
２４５ｇのｔｅｒｔ−ブタノールの入った２５℃に保持したリアクタに撹拌しながら以下を入れる：
３３．８ｇの２−アクリルアミド−２−メチルプロパンスルホン酸（ＡＴＢＳ）、
１２．９ｇの炭酸水素アンモニウム、
２．１２ｇの（２−ヒドロキシエチル）アクリレート（ＨＥＡ）、
１．２４ｇのステアリルメタクリレート（ＳＭＡ）、
０．５４ｇのトリメチロールプロパントリアクリレート（ＴＭＰＴＡ）。
【００９９】
上記溶液の良好な均質化を達成するのに十分な時間を経た後、窒素スパージングによって脱酸素を行い、次に上記媒質の温度を７０℃とする。所望の温度に達したら、０．５０ｇのジラウロイルペルオキシドを添加する。即時に重合が始まる。その後、該反応媒質をこの温度で約６０分間保持し、次に８０℃に加熱する。この温度を２時間保持した後、冷却する。重合中に形成された粉末を濾別して乾燥させ、高分子電解質６を得る。
【０１００】
実施例７（本発明による）：トリメチロールプロパントリアクリレートによって架橋された、アンモニウム２−メチル−２−［（１−オキソ−２−プロペニル）アミノ］−１−プロパンスルホネート、（２−ヒドロキシエチル）アクリレート、及びラウリルメタクリレートの架橋された高分子電解質（ＡＴＢＳ／ＨＥＡ／ＬＡＵＭＡ：８８．１／９．９／２．０；高分子電解質７）
【０１０１】
２４５ｇのｔｅｒｔ−ブタノールの入った２５℃に保持したリアクタに撹拌しながら以下を入れる：
３３．８ｇの２−アクリルアミド−２−メチルプロパンスルホン酸（ＡＴＢＳ）、
１２．９ｇの炭酸水素アンモニウム、
２．１２ｇの（２−ヒドロキシエチル）アクリレート（ＨＥＡ）、
０．９６ｇのラウリルメタクリレート（ＬＡＵＭＡ）、
０．５４ｇのトリメチロールプロパントリアクリレート（ＴＭＰＴＡ）。
【０１０２】
上記溶液の良好な均質化を達成するのに十分な時間を経た後、窒素スパージングによっ
て脱酸素を行い、次に上記媒質の温度を７０℃とする。所望の温度に達したら、０．５０ｇのジラウロイルペルオキシドを添加する。即時に重合が始まる。その後、該反応媒質をこの温度で約６０分間保持し、次に８０℃に加熱する。この温度を２時間保持した後、冷却する。重合中に形成された粉末を濾別して乾燥させ、高分子電解質７を得る。
【０１０３】
実施例８（本発明による）：トリメチロールプロパントリアクリレートによって架橋された、ナトリウム２−メチル−２−［（１−オキソ−２−プロペニル）アミノ］−１−プロパンスルホネート、（２−ヒドロキシエチル）アクリレート、ステアリルメタクリレート、及びラウリルメタクリレートの架橋された高分子電解質（ＡＴＢＳ／ＨＥＡ／ＳＭＡ／ＬＡＵＭＡ：８８．１／９．９／１．０／１．０；高分子電解質８）
【０１０４】
２４５ｇのｔｅｒｔ−ブタノールの入った２５℃に保持したリアクタに撹拌しながら以下を入れる：
３３．８ｇの２−アクリルアミド−２−メチルプロパンスルホン酸（ＡＴＢＳ）、
１２．９ｇの炭酸水素アンモニウム、
２．１２ｇの（２−ヒドロキシエチル）アクリレート（ＨＥＡ）、
０．６２ｇのステアリルメタクリレート（ＳＭＡ）、
０．４８ｇのラウリルメタクリレート（ＬＡＵＭＡ）、
０．５４ｇのトリメチロールプロパントリアクリレート（ＴＭＰＴＡ）。
【０１０５】
上記溶液の良好な均質化を達成するのに十分な時間を経た後、窒素スパージングによって脱酸素を行い、次に上記媒質の温度を７０℃とする。所望の温度に達したら、０．５０ｇのジラウロイルペルオキシドを添加する。即時に重合が始まる。その後、該反応媒質をこの温度で約６０分間保持し、次に８０℃に加熱する。この温度を２時間保持する。その後、アンモニウムイオンをナトリウムイオンと交換するようにナトリウムｔｅｒｔ−ブトキシドを添加した後、冷却する。重合中に形成された粉末を濾別して乾燥させ、高分子電解質８を得る。
【０１０６】
実施例９（本発明による）：トリメチロールプロパントリアクリレートで架橋された、アンモニウム２−メチル−２−［（１−オキソ−２−プロペニル）アミノ］−１−プロパンスルホネート、（２−ヒドロキシエチル）アクリレート、イソデシルメタクリレート、及びラウリルメタクリレートの架橋された高分子電解質（高分子電解質９）
【０１０７】
２４５ｇのｔｅｒｔ−ブタノールの入った２５℃に保持したリアクタに撹拌しながら以下を入れる：
３３．８ｇの２−アクリルアミド−２−メチルプロパンスルホン酸（ＡＴＢＳ）、
１２．９ｇの炭酸水素アンモニウム、
２．１２ｇの（２−ヒドロキシエチル）アクリレート（ＨＥＡ）、
０．４１ｇのイソデシルメタクリレート（ＩＤＭＡ）、
０．４８ｇのラウリルメタクリレート（ＬＡＵＭＡ）、
０．５４ｇのトリメチロールプロパントリアクリレート（ＴＭＰＴＡ）。
【０１０８】
上記溶液の良好な均質化を達成するのに十分な時間を経た後、窒素スパージングによって脱酸素を行い、次に上記媒質の温度を７０℃とした。所望の温度に達したら、０．５０ｇのジラウロイルペルオキシドを添加する。即座に重合が始まる。その後、該反応媒質をこの温度で約６０分間保持し、次に８０℃に加熱する。この温度を２時間保持した後、冷却する。重合中に形成された粉末を濾別して乾燥させ、高分子電解質９を得る。
【０１０９】
以下の実施例を、上述の実施例に類似の方法で処理を行うことにより調製した。
【０１１０】
実施例１０（本発明による）：トリメチロールプロパントリアクリレートによって架橋された、ナトリウム２−メチル−２−［（１−オキソ−２−プロペニル）アミノ］−１−プロパンスルホネート、（２−ヒドロキシエチル）アクリレート、ステアリルメタクリレート、及びラウリルメタクリレートの架橋された高分子電解質（ＡＴＢＳ／ＨＥＡ／ＳＭＡ／ＬＡＵＭＡ：９４／４／１／１；高分子電解質１０）。
【０１１１】
実施例１１（本発明による）：トリメチロールプロパントリアクリレートによって架橋された、ナトリウム２−メチル−２−［（１−オキソ−２−プロペニル）アミノ］−１−プロパンスルホネート、（２−ヒドロキシエチル）アクリレート、ステアリルメタクリレート、及びラウリルメタクリレートの架橋された高分子電解質（ＡＴＢＳ／ＨＥＡ／ＳＭＡ／ＬＡＵＭＡ：８３／１５／１／１；高分子電解質１１）。
【０１１２】
実施例１２（本発明による）：トリメチロールプロパントリアクリレートによって架橋された、ナトリウム２−メチル−２−［（１−オキソ−２−プロペニル）アミノ］−１−プロパンスルホネート、（２−ヒドロキシエチル）アクリレート、ステアリルメタクリレート、及びラウリルメタクリレートの架橋された高分子電解質（ＡＴＢＳ／ＨＥＡ／ＳＭＡ／ＬＡＵＭＡ：８８．２／９．８／１／１；高分子電解質１２）。
【０１１３】
実施例１３（本発明による）：トリメチロールプロパントリアクリレートによって架橋された、ナトリウム２−メチル−２−［（１−オキソ−２−プロペニル）アミノ］−１−プロパンスルホネート、（２−ヒドロキシエチル）アクリレート、ステアリルメタクリレート、及びラウリルメタクリレートの架橋された高分子電解質（ＡＴＢＳ／ＨＥＡ／ＳＭＡ／ＬＡＵＭＡ：８８／９．６／１．２／１．２；高分子電解質１３）。
【０１１４】
実施例１４（本発明による）：トリメチロールプロパントリアクリレートによって架橋された、ナトリウム２−メチル−２−［（１−オキソ−２−プロペニル）アミノ］−１−プロパンスルホネート、（２−ヒドロキシエチル）アクリレート、ステアリルメタクリレート、及びラウリルメタクリレートの架橋された高分子電解質（ＡＴＢＳ／ＨＥＡ／ＳＭＡ／ＬＡＵＭＡ：８２．５／１４．５／１．５／１．５；高分子電解質１４）。
【０１１５】
実施例１５（本発明による）：トリメチロールプロパントリアクリレートによって架橋された、ナトリウム２−メチル−２−［（１−オキソ−２−プロペニル）アミノ］−１−プロパンスルホネート、（２−ヒドロキシエチル）アクリレート、ステアリルメタクリレート、及びラウリルメタクリレートの架橋された高分子電解質（ＡＴＢＳ／ＨＥＡ／ＳＭＡ／ＬＡＵＭＡ：８９／１０／０．５／０．５；高分子電解質１５）。
【０１１６】
Ｂ）増粘特性：
本発明による増粘剤を以下の通り評価した：
ａ）  粘度測定（μ）：
水中２重量％において、及び、
水中２重量％において、２％の塩化ナトリウムを含む。
【０１１７】
ｍＰａｓで表されるこれらの粘度の測定を、第６スピンドルを備え、毎分５回転（ｒｐｍ）の回転速度に設定したブルックフィールドＲＶＴレオメーターを用いて２５℃で行った。上記測定を水性分散物の調製の直後に行った。結果を以下の表に記録する。
【０１１８】
【表１】
0006370378.tif 000003
【０１１９】
これらの結果は、本発明によるポリマーがポリマー増粘剤であることを明らかにする。これらのうち、ポリマー１、２、３、４及び８〜１５は化粧品製剤における使用に一層適しており、それらの水性分散物は塩の存在下で５０％未満の粘度の減少を呈する一方、水中で顕著な増粘特性（３００００ｍＰａｓ超）を有する。
【０１２０】
Ｃ）本発明による高分子電解質を用いて調製された製剤の例（割合を重量パーセントとして表す）
実施例１：ケアクリーム
ＣＹＣＬＯＭＥＴＨＩＣＯＮＥ（商標）：                １０％
高分子電解質１：                                      ０．８％
ＭＯＮＴＡＮＯＶ（商標）  ６８：                      ２％
ステアリルアルコール：                                １％
ステアリン酸：                                        ０．５％
防腐剤：                                              ０．６５％
リジン：                                              ０．０２５％
ＥＤＴＡ（二ナトリウム塩）：                          ０．０５％
キサンタンガム：                                      ０．２％
グリセロール：                                        ３％
水：                                                  適量添加して１００％とする
【０１２１】
実施例２：アフターシェーブバーム
配合
Ａ      高分子電解質２：                              １．５％
水：                                          適量添加して１００％とするＢ      ＭＩＣＲＯＰＥＡＲＬ（商標）  Ｍ  １００：    ５．０％
ＳＥＰＩＣＩＤＥ（商標）  ＣＩ：              ０．５０％
香料：                                        ０．２０％
９５度エタノール：                            １０．０％
手順：ＢをＡに添加する。
【０１２２】
実施例３：ボディ用サテン（Satin）エマルジョン
配合
Ａ      ＳＩＭＵＬＳＯＬ（商標）  １６５：              ５．０％
ＬＡＮＯＬ（商標）  １６８８：                  ８．５０％
シアバター：                                    ２％
流動パラフィン：                                ６．５％
ＬＡＮＯＬ（商標）  １４Ｍ：                    ３％
ＬＡＮＯＬ（商標）  Ｓ：                        ０．６％
Ｂ      水：                                            ６６．２％
Ｃ      ＭＩＣＲＯＰＥＡＲＬ（商標）  Ｍ  １００：      ５％
Ｄ      高分子電解質３：                                ３％
Ｅ      ＳＥＰＩＣＩＤＥ（商標）  ＣＩ：                ０．３％
ＳＥＰＩＣＩＤＥ（商標）  ＨＢ：                ０．５％
ＡＱＵＡＸＹＬ（商標）：                          ３％
香料：                                          ０．２０％
ビタミンＥアセテート：                          ０．２０％
ナトリウムピロリジノン（pyrrolidinone）カルボキシレート：               
１％
手順：ＣをＢに添加し、ＢをＡにおいて７０℃で乳化し、引き続きＤを６０℃で添加し、引き続きＥを３０℃で添加する。
【０１２３】
実施例４：Ｏ／Ｗクリーム
配合
Ａ      ＳＩＭＵＬＳＯＬ（商標）  １６５：            ５．０％
ＬＡＮＯＬ（商標）  １６８８：                ２０．０％
ＬＡＮＯＬ（商標）  Ｐ：                      １．０％
Ｂ      水：                                          適量添加して１００％とするＣ      高分子電解質４：                              ２．５０％
Ｄ      ＳＥＰＩＣＩＤＥ（商標）  ＣＩ：              ０．２０％
ＳＥＰＩＣＩＤＥ（商標）  ＨＢ：              ０．３０％
手順：Ｂをおよそ７５℃でＡ中に導入し、Ｃをおよそ６０℃で添加し、引き続きＤをおよそ４５℃で添加する。
【０１２４】
実施例５：非脂肪性日焼け止めゲル
配合
Ａ      高分子電解質８：                              ３．００％
水：                                          ３０％
Ｂ      ＳＥＰＩＣＩＤＥ（商標）  ＣＩ：              ０．２０％
ＳＥＰＩＣＩＤＥ（商標）  ＨＢ：              ０．３０％
香料：                                        ０．１０％
Ｃ      色素：                                        適量
水：                                          ３０％
Ｄ      ＭＩＣＲＯＰＥＡＲＬ（商標）  Ｍ１００：      ３．００％
水：                                          適量添加して１００％とするＥ      シリコーン油：                                ２．０％
ＰＡＲＳＯＬ（商標）  ＭＣＸ：                ５．００％
手順：ＢをＡ中に導入し、Ｃを添加し、引き続きＤを添加し、引き続きＥを添加する。
【０１２５】
実施例６：日焼け止め乳液
配合
Ａ      ＭＯＮＴＡＮＯＶ（商標）  Ｓ：                ３．０％
ゴマ油：                                      ５．０％
ＰＡＲＳＯＬ（商標）  ＭＣＸ：                ５．０％
カラギーナンl：                              ０．１０％
Ｂ      水：                                          適量添加して１００％とするＣ      高分子電解質３：                              ０．８０％
Ｄ      香料：                                        適量
防腐剤：                                      適量
手順：Ｂ及びＡを７５℃で乳化し、引き続きＣをおよそ６０℃で添加し、引き続きＤをおよそ３０℃で添加し、必要に応じてｐＨを調整する。
【０１２６】
実施例７：マッサージ用ゲル
配合
Ａ      高分子電解質２：                                ３．５％
水：                                            ２０．０％
Ｂ      色素：                                          ２滴／１００ｇ
水：                                            適量
Ｃ      エタノール：                                    １０％
メントール：                                    ０．１０％
Ｄ      シリコーン油：                                  ５．０％
手順：ＢをＡに添加し、引き続きＣ、その後Ｄを混合物に添加する。
【０１２７】
実施例８：保湿及び艶消ファンデーション
配合
Ａ      水：                                          ２０．０％
ブチレングリコール：                          ４．０％
ＰＥＧ−４００：                              ４．０％
ＰＥＣＯＳＩＬ（商標）  ＰＳ１００：          １．０％
水酸化ナトリウム：                            適量添加してｐＨ９とする
二酸化チタン：                                ７．０％
タルク：                                      ２．０％
黄色酸化鉄：                                  ０．８％
赤色酸化鉄：                                  ０．３％
黒色酸化鉄：                                  ０．０５％
Ｂ      ＬＡＮＯＬ（商標）  ９９：                    ８％
トリ（カプリル酸／カプリン酸）グリセリル      ８％
ＭＯＮＴＡＮＯＶ（商標）  ２０２：            ５．００％
Ｃ      水：                                          適量添加して１００％とする
ＭＩＣＲＯＰＥＡＲＬ（商標）  Ｍ３０５：      ２．０％
四ナトリウムＥＤＴＡ：                        ０．０５％
Ｄ      ＣＹＣＬＯＭＥＴＨＩＣＯＮＥ（商標）：        ４．０％
キサンタンガム：                              ０．２％
高分子電解質１：                              ０．８％
Ｅ      ＳＥＰＩＣＩＤＥ（商標）  ＨＢ：              ０．５％
ＳＥＰＩＣＩＤＥ  ＣＩ：                      ０．３％
香料：                                        ０．２％
手順：Ｂ＋Ｄ混合物及びＡ＋Ｃ混合物を８０℃で調製し、引き続き互いに混合及び乳化する。
【０１２８】
実施例９：ラディアンスゲル
配合
Ａ      高分子電解質４：                              ４％
水：                                          ３０％
Ｂ      ＥＬＡＳＴＩＮ  ＨＰＭ（商標）：              ５．０％
Ｃ      ＭＩＣＲＯＰＥＡＲＬ（商標）  Ｍ１００：      ３％
水：                                          ５％
Ｄ      ＳＥＰＩＣＩＤＥ（商標）  ＣＩ：              ０．２％
ＳＥＰＩＣＩＤＥ（商標）  ＨＢ：              ０．３％
香料：                                        ０．０６％
５０％ナトリウムピロリジノンカルボキシレート：１％
水：                                          適量添加して１００％とする手順：Ａを調製し、Ｂを添加し、引き続きＣを添加し、引き続きＤを添加する。
【０１２９】
実施例１０：ボディミルク
ＭＯＮＴＡＮＯＶ（商標）  Ｓ：                        ３．５％
ＬＡＮＯＬ（商標）  ３７Ｔ：                          ８．０％
ＳＯＬＡＧＵＭ（商標）  Ｌ：                          ０．０５％
水：                                                  適量添加して１００％とするベンゾフェノン−３：                                  ２．０％
ＤＩＭＥＴＨＩＣＯＮＥ（商標）  ３５０ｃＰｓ：        ０．０５％
高分子電解質３：                                      ０．８％
防腐剤：                                              ０．２％
香料：                                                ０．４％
【０１３０】
実施例１１：甘扁桃油を含む化粧落とし用エマルジョン
ＭＯＮＴＡＮＯＶ（商標）  ６８：                      ５％
甘扁桃油：                                            ５％
水：                                                  適量添加して１００％とする高分子電解質８：                                      ０．３％
グリセロール：                                        ５％
防腐剤：                                              ０．２％
香料：                                                ０．３％
【０１３１】
実施例１２：脂性肌用の保湿クリーム
ＭＯＮＴＡＮＯＶ（商標）  ６８：                      ５％
セチルステアリルオクタノエート：                      ８％
オクチルパルミテート：                                ２％
水：                                                  適量添加して１００％とする高分子電解質１：                                      ０．６％
ＭＩＣＲＯＰＥＡＲＬ（商標）  Ｍ１００：              ３．０％
ムコ多糖：                                            ５％
ＳＥＰＩＣＩＤＥ（商標）  ＨＢ：                      ０．８％
香料：                                                ０．３％
【０１３２】
実施例１３：アルコールフリーの鎮静（soothing）アフターシェーブバーム
ＬＩＰＡＣＩＤＥ（商標）  ＰＶＢ：                    １．０％
ＬＡＮＯＬ（商標）  ９９：                            ２．０％
甘扁桃油：                                            ０．５％
高分子電解質４：                                      ３．５％
水：                                                  適量添加して１００％とする香料：                                                ０．４％
ＳＥＰＩＣＩＤＥ（商標）  ＨＢ：                      ０．４％
ＳＥＰＩＣＩＤＥ（商標）  ＣＩ：                      ０．２％
【０１３３】
実施例１４：敏感肌用のＡＨＡを含むクリーム
Ｎ−ラウロイルアミノ酸の混合物：                      ０．１％〜５％
アスパラギン酸マグネシウムカリウム：                  ０．００２％〜０．５％
ＬＡＮＯＬ（商標）  ９９：                            ２％
ＭＯＮＴＡＮＯＶ（商標）  ６８：                      ５．０％
水：                                                  適量添加して１００％とする高分子電解質２：                                      １．５０％
グルコン酸：                                          １．５０％
トリエタノールアミン（ＴＥＡ）：                        ０．９％
ＳＥＰＩＣＩＤＥ（商標）  ＨＢ：                      ０．３％
ＳＥＰＩＣＩＤＥ（商標）  ＣＩ：                      ０．２％
香料：                                                ０．４％
【０１３４】
実施例１５：鎮静アフターサンケア製品
Ｎ−ラウロイルアミノ酸の混合物：                      ０．１％〜５％
アスパラギン酸マグネシウムカリウム：                  ０．００２％〜０．５％
ＬＡＮＯＬ（商標）  ９９：                            １０．０％
水：                                                  適量添加して１００％とする高分子電解質３：                                      ２．５０％
ＳＥＰＩＣＩＤＥ（商標）  ＨＢ：                      ０．３％
ＳＥＰＩＣＩＤＥ（商標）  ＣＩ：                      ０．２％
香料：                                                ０．４％
色素：                                                ０．０３％
【０１３５】
実施例１６：化粧落とし用乳液
ＭＯＮＴＡＮＯＶ（商標）  Ｓ：                        ３％
ＰＲＩＭＯＬ（商標）  ３５２：                        ８．０％
甘扁桃油：                                            ２％
水：                                                  適量添加して１００％とする高分子電解質２：                                      ０．８％
防腐剤：                                              ０．２％
【０１３６】
実施例１７：アルカリ性ｐＨを有する流体エマルジョン
ＭＡＲＣＯＬ（商標）  ８２：                          ５．０％
水酸化ナトリウム：                                    １０．０％
水：                                                  適量添加して１００％とする高分子電解質１：                                      １．５％
【０１３７】
実施例１８：流体ファンデーション
ＳＩＭＵＬＳＯＬ（商標）  １６５：                    ５．０％
ＬＡＮＯＬ（商標）  ８４Ｄ：                          ８．０％
ＬＡＮＯＬ（商標）  ９９：                            ５．０％
水：                                                  適量添加して１００％とする鉱物顔料及びフィラー：                                １０．０％
高分子電解質４：                                      １．２％
防腐剤：                                              ０．２％
香料：                                                ０．４％
【０１３８】
実施例１９：日焼け止め乳液
ＭＯＮＴＡＮＯＶ（商標）  Ｓ：                        ３．５％
ＬＡＮＯＬ（商標）  ３７Ｔ：                          １０．０％
ＰＡＲＳＯＬ（商標）  ＭＣＸ：                        ５．０％
ＥＵＳＯＬＥＸ（商標）  ４３６０：                    ２．０％
水：                                                  適量添加して１００％とする高分子電解質８：                                      １．８％
防腐剤：                                              ０．２％
香料：                                                ０．４％
【０１３９】
実施例２０：目元用ゲル（Gel for the area around the eyes）
高分子電解質１：                                      ２．０％
香料：                                                ０．０６％
ナトリウムピロリジノンカルボキシレート：              ０．２％
ＤＯＷ  ＣＯＲＮＩＮＧ（商標）  ２４５  Ｆｌｕｉｄ：  ２．０％
水：                                                  適量添加して１００％とする
【０１４０】
実施例２１：リーブオンケア組成物
高分子電解質８：                                      １．５％
香料：                                                適量
防腐剤：                                              適量
ＤＯＷ  ＣＯＲＮＩＮＧ（商標）  Ｘ２  ８３６０：      ５．０％
ＤＯＷ  ＣＯＲＮＩＮＧ（商標）  Ｑ２  １４０１：      １５．０％
水：                                                  適量添加して１００％とする
【０１４１】
実施例２２：スリミングゲル
高分子電解質４：                                      ５％
エタノール：                                          ３０％
メントール：                                          ０．１％
カフェイン：                                          ２．５％
ルスクス抽出物：                                      ２％
ツタ抽出物：                                          ２％
ＳＥＰＩＣＩＤＥ（商標）  ＨＢ：                      １％
水：                                                  適量添加して１００％とする
【０１４２】
実施例２３：ウルトラナチュラルティンテッドクリームゲル
配合
Ａ      水：                                          １０．０％
ブチレングリコール：                          ４．０％
ＰＥＧ−４００：                              ４．０％
ＰＥＣＯＳＩＬ（商標）  ＰＳ１００：          １．５％
水酸化ナトリウム：                            適量添加してｐＨ７とする
二酸化チタン：                                ２．０％
黄色酸化鉄：                                  ０．８％
赤色酸化鉄：                                  ０．３％
黒色酸化鉄：                                  ０．０５％
Ｂ      ＬＡＮＯＬ（商標）  ９９：                    ４．０％
トリ（カプリル酸／カプリン酸）グリセリル：    ４．０％
ＳＥＰＩＦＥＥＬ（商標）  ＯＮＥ：            １．０％
高分子電解質３：                              ３．０％
Ｃ      水：                                          適量添加して１００％とする
ＭＩＣＲＯＰＥＡＲＬ（商標）  Ｍ３０５：      ２．０％
四ナトリウムＥＤＴＡ：                        ０．０５％
ＣＹＣＬＯＭＥＴＨＩＣＯＮＥ（商標）：        ４．０％
Ｄ      ＳＥＰＩＣＩＤＥ（商標）  ＨＢ：              ０．５％
ＳＥＰＩＣＩＤＥ（商標）  ＣＩ：              ０．３％
香料：                                        ０．２％
手順：Ｂ＋Ｃ混合物を調製し、引き続きＡを添加し、引き続きＤを添加する。
【０１４３】
実施例２４：脂性肌用ケア製品
ＭＩＣＲＯＰＥＡＲＬ（商標）  Ｍ３１０：              １．０％
高分子電解質２：                                      ５．０％
オクチルイソノナノエート：                            ４．０％
水：                                                  適量添加して１００％とするＳＥＰＩＣＯＮＴＲＯＬ（商標）  Ａ５：                ４．０％
香料：                                                ０．１％
ＳＥＰＩＣＩＤＥ（商標）  ＨＢ：                      ０．３％
ＳＥＰＩＣＩＤＥ（商標）  ＣＩ：                      ０．２％
ＣＡＰＩＧＥＬ（商標）  ９８：                        ０．５％
水：                                                  １０％
【０１４４】
実施例２５：ＡＨＡを含むクリーム
ＭＯＮＴＡＮＯＶ（商標）  ６８：                      ５．０％
ＬＩＰＡＣＩＤＥ（商標）  ＰＶＢ：                    １．０５％
ＬＡＮＯＬ（商標）  ９９：                            １０．０％
水：                                                  適量添加して１００％とするグルコン酸：                                          １．５％
トリエタノールアミン：                                ０．９％
高分子電解質１：                                      １．５％
香料：                                                ０．４％
ＳＥＰＩＣＩＤＥ（商標）  ＨＢ：                      ０．２％
ＳＥＰＩＣＩＤＥ（商標）  ＣＩ：                      ０．４％
【０１４５】
実施例２６：フェイス及びボディ用の非脂肪性セルフタンニング製品
ＬＡＮＯＬ（商標）  ２６８１：                        ３．０％
高分子電解質８：                                      ２．５％
水：                                                  適量添加して１００％とするジヒドロキシアセトン：                                ３．０％
香料：                                                ０．２％
ＳＥＰＩＣＩＤＥ（商標）  ＨＢ：                      ０．８％
水酸化ナトリウム：                                    適量添加してｐＨ５とする
【０１４６】
実施例２７：タヒチモノイを含む日焼け止め乳液
タヒチモノイ：                                        １０％
ＬＩＰＡＣＩＤＥ（商標）  ＰＶＢ：                    ０．５％
高分子電解質４：                                      ２．２％
水：                                                  適量添加して１００％とする
香料：                                                ０．１％
ＳＥＰＩＣＩＤＥ（商標）  ＨＢ：                      ０．３％
ＳＥＰＩＣＩＤＥ（商標）  ＣＩ：                      ０．１％
ＰＡＲＳＯＬ（商標）  ＭＣＸ：                        ４．０％
【０１４７】
実施例２８：フェイス用の日焼け止めケア製品
ＣＹＣＬＯＭＥＴＨＩＣＯＮＥ（商標）及びＤＩＭＥＴＨＩＣＯＮＯＬ（商標）：      
４．０％
高分子電解質３：                                    ３．５％
水：                                                適量添加して１００％とする
香料：                                              ０．１％
ＳＥＰＩＣＩＤＥ（商標）  ＨＢ：                    ０．３％
ＳＥＰＩＣＩＤＥ（商標）  ＣＩ：                    ０．２１％
ＰＡＲＳＯＬ（商標）  ＭＣＸ：                      ５．０％
酸化チタン被覆マイカ：                              ２．０％
乳酸：                                              適量添加してｐＨ６．５とする
【０１４８】
実施例２９：サンフリータンニングエマルジョン
ＬＡＮＯＬ（商標）  ９９：                            １５％
ＭＯＮＴＡＮＯＶ（商標）  ６８：                      ５．０％
ＰＡＲＳＯＬ（商標）  ＭＣＸ：                        ３．０％
水：                                                  適量添加して１００％とするジヒドロキシアセトン：                                ５．０％
リン酸一ナトリウム：                                  ０．２％
高分子電解質２：                                      ０．５％
香料：                                                ０．３％
ＳＥＰＩＣＩＤＥ（商標）  ＨＢ：                      ０．８％
水酸化ナトリウム：                                    適量添加してｐＨ５とする。
【０１４９】
実施例３０：ケアクリーム
ＣＹＣＬＯＭＥＴＨＩＣＯＮＥ（商標）：                １０％
高分子電解質４：                                      ０．８％
ＭＯＮＴＡＮＯＶ（商標）  ６８：                      ４．５％
防腐剤：                                              ０．６５％
リジン：                                              ０．０２５％
ＥＤＴＡ（二ナトリウム塩）：                          ０．０５％
キサンタンガム：                                      ０．２％
グリセロール：                                        ３％
水：                                                  適量添加して１００％とする
【０１５０】
実施例３１：ケアクリーム
ＣＹＣＬＯＭＥＴＨＩＣＯＮＥ（商標）：                １０％
高分子電解質３：                                      ０．８％
ＭＯＮＴＡＮＯＶ（商標）  ６８：                      ４．５％
ペルフルオロポリメチルイソプロピルエーテル：          ０．５％
防腐剤：                                              ０．６５％
リジン：                                              ０．０２５％
ＥＤＴＡ（二ナトリウム塩）：                            ０．０５％
ＰＥＭＵＬＥＮ（商標）  ＴＲ１：                      ０．２％
グリセロール：                                        ３％
水：                                                  適量添加して１００％とする
【０１５１】
実施例３２：ボディミルク
配合
Ａ      ＳＩＭＵＬＳＯＬ（商標）  １６５：            ５．０％
ＬＡＮＯＬ（商標）  １６８８：                １２．０％
ＬＡＮＯＬ（商標）  １４Ｍ：                  ２．０％
セチルアルコール：                            ０．３％
ＳＣＨＥＲＣＥＭＯＬ（商標）  ＯＰ：          ３％
Ｂ      水：                                          適量添加して１００％とするＣ      高分子電解質２：                              ０．３５％
Ｄ      ＳＥＰＩＣＩＤＥ（商標）  ＣＩ：              ０．２％
ＳＥＰＩＣＩＤＥ（商標）  ＨＢ：              ０．５％
香料：                                        ０．２０％
手順：ＢをＡにおいておよそ７５℃で乳化し、Ｃをおよそ６０℃で添加し、引き続きＤをおよそ３０℃で添加する。
【０１５２】
実施例３３：マッサージケア用ゲル
配合
Ａ      高分子電解質１：                              ３．００％
水：                                          ３０％
Ｂ      ＳＥＰＩＣＩＤＥ（商標）  ＣＩ：              ０．２０％
ＳＥＰＩＣＩＤＥ（商標）  ＨＢ：              ０．３０％
香料：                                        ０．０５％
Ｃ      色素：                                        適量
水：                                          適量添加して１００％とするＤ      ＭＩＣＲＯＰＥＡＲＬ（商標）  ＳＱＬ：        ５．０％
ＬＡＮＯＬ（商標）  １６８８：                ２％
手順：Ａを調製し、Ｂを添加し、引き続きＣを添加し、引き続きＤを添加する。
【０１５３】
実施例３４：ボディミルク
配合
Ａ      ＭＯＮＴＡＮＯＶ（商標）  Ｓ：                ３．０％
グリセリルトリヘプトネート：                  １０．０％
Ｂ      水：                                          適量添加して１００％とするＣ      高分子電解質８：                              １．０％
Ｄ      香料：                                        適量
防腐剤：                                      適量
手順：Ａをおよそ７５℃で溶かす。Ｂ及びＡをおよそ７５℃で乳化し、引き続きＣをおよそ６０℃で添加し、引き続きＤを添加する。
【０１５４】
実施例３５：アルコールフリーの鎮静アフターシェーブバーム
ラウロイルアミノ酸の混合物：                          ０．１％〜５％
アスパラギン酸マグネシウムカリウム：                  ０．０２％〜０．５％
ＬＡＮＯＬ（商標）  ９９：                            ２％
甘扁桃油：                                            ０．５％
水：                                                  適量添加して１００％とする高分子電解質２：                                      ３％
ＳＥＰＩＣＩＤＥ（商標）  ＨＢ：                      ０．３％
ＳＥＰＩＣＩＤＥ（商標）  ＣＩ：                      ０．２％
香料：                                                ０．４％
【０１５５】
実施例３６：ボディミルク
ＭＯＮＴＡＮＯＶ（商標）  Ｓ：                        ３．５％
ＬＡＮＯＬ（商標）  ３７Ｔ：                          ８．０％
ＳＯＬＡＧＵＭ（商標）  Ｌ：                          ０．０５％
水：                                                  適量添加して１００％とするベンゾフェノン−３：                                  ２．０％
ＤＩＭＥＴＨＩＣＯＮＥ（商標）  ３５０  ｃＰｓ：      ０．０５％
高分子電解質４：                                      ０．８％
防腐剤：                                              ０．２％
香料：                                                ０．４％
【０１５６】
実施例３７：アルコールフリーの鎮静アフターシェーブバーム
ＬＩＰＡＣＩＤＥ（商標）  ＰＶＢ：                    １．０％
ＬＡＮＯＬ（商標）  ９９：                            ２．０％
甘扁桃油：                                            ０．５％
高分子電解質１：                                      ３．５％
水：                                                  適量添加して１００％とする香料：                                                ０．４％
ＳＥＰＩＣＩＤＥ（商標）  ＨＢ：                      ０．４％
ＳＥＰＩＣＩＤＥ（商標）  ＣＩ：                      ０．２％
【０１５７】
実施例３８：リフレッシングアフターシェーブゲル
ＬＩＰＡＣＩＤＥ（商標）  ＰＶＢ：                    ０．５％
ＬＡＮＯＬ（商標）  ９９：                            ５．０％
高分子電解質１：                                      ２．５％
水：                                                  適量添加して１００％とするＭＩＣＲＯＰＥＡＲＬ（商標）  ＬＭ：                  ０．５％
香料：                                                ０．２％
ＳＥＰＩＣＩＤＥ（商標）  ＨＢ：                      ０．３％
ＳＥＰＩＣＩＤＥ（商標）  ＣＩ：                      ０．２％
【０１５８】
実施例３９：ＡＨＡを含むクリーム
ＭＯＮＴＡＮＯＶ（商標）  ６８：                      ５．０％
ＬＩＰＡＣＩＤＥ（商標）  ＰＶＢ：                    １．０５％
ＬＡＮＯＬ（商標）  ９９：                            １０．０％
水：                                                  適量添加して１００％とするグルコン酸：                                          １．５％
トリエタノールアミン：                                ０．９％
高分子電解質４：                                      １．５％
香料：                                                ０．４％
ＳＥＰＩＣＩＤＥ（商標）  ＨＢ：                      ０．２％
ＳＥＰＩＣＩＤＥ（商標）  ＣＩ：                      ０．４％
【０１５９】
実施例４０：光沢ゲル（sheen gel）
高分子電解質２：                                      １．５％
揮発性シリコーン：                                    ２５％
モノプロピレングリコール：                            ２５％
脱塩水：                                              １０％
グリセロール：                                        適量添加して１００％とする
【０１６０】
実施例４１：スリミングゲル
高分子電解質３：                                      １．５％
イソノニルイソノナノエート：                          ２％
カフェイン：                                          ５％
エタノール：                                          ４０％
ＭＩＣＲＯＰＥＡＲＬ（商標）  ＬＭ：                  ２％
脱塩水：                                              適量添加して１００％とする防腐剤、香料：                                        適量
【０１６１】
実施例４２：化粧落とし用乳液
ＳＩＭＵＬＳＯＬ（商標）  １６５：                      ４％
ＭＯＮＴＡＮＯＶ（商標）  ２０２：                      １％
カプリレートカプレートトリグリセリド：                  １５％
ＰＥＣＯＳＩＬ（商標）  ＤＣＴ：                        １％
脱塩水：                                                適量
ＣＡＰＩＧＥＬ（商標）  ９８：                          ０．５％
高分子電解質１５：                                      １％
ＰＲＯＴＥＯＬ（商標）  ＡＰＬ：                        ２％
水酸化ナトリウム：                                      適量添加してｐＨ７とする
【０１６２】
実施例４３：ストレスを受け傷んだ毛髪用のリンスオフリストラクチュアリングクリームマスク
ＫＥＴＲＯＬ（商標）Ｔ：                              ０．５％
ＰＥＣＯＳＩＬ（商標）  ＳＰＰ５０：                  ０．７５％
Ｎ−ココイルアミノ酸：                                ０．７０％
ブチレングリコール：                                  ３．０％
高分子電解質４：                                      ３．０％
ＭＯＮＴＡＮＯＶ（商標）  ８２：                      ３．０％
ホホバ油：                                            １．０％
ＬＡＮＯＬ（商標）  Ｐ：                              ６．０％
ＡＭＯＮＹＬ（商標）  ＤＭ：                          １．０％
ＬＡＮＯＬ（商標）  ９９：                            ５．０％
ＳＥＰＩＣＩＤＥ（商標）  ＨＢ：                      ０．３％
ＳＥＰＩＣＩＤＥ（商標）ＣＩ：                        ０．２％
香料：                                                ０．２％
水：                                                  適量添加して１００％とする
【０１６３】
実施例４４：日焼け止めクリーム
ＳＩＭＵＬＳＯＬ（商標）  １６５：                    ３％
ＭＯＮＴＡＮＯＶ（商標）  ２０２：                    ２％
Ｃ１２〜Ｃ１５ベンゾエート：                          ８％
ＰＥＣＯＳＩＬ（商標）  ＰＳ  １００：                ２％
ＤＩＭＥＴＨＩＣＯＮＥ（商標）：                      ２％
ＣＹＣＬＯＭＥＴＨＩＣＯＮＥ（商標）：                ５％
オクチルｐ−メトキシシンナメート：                    ６％
ベンゾフェノン−３：                                  ４％
酸化チタン：                                          ８％
キサンタンガム：                                      ０．２％
ブチレングリコール：                                  ５％
脱塩水：                                              適量添加して１００％とする高分子電解質１：                                      １．５％
防腐剤、香料：                                        適量
【０１６４】
実施例４５：混合肌ケアゲル
高分子電解質４：                                      ４％
植物スクワラン：                                      ５％
ＤＩＭＥＴＨＩＣＯＮＥ：                              １．５％
ＳＥＰＩＣＯＮＴＲＯＬ（商標）  Ａ５：                ４％
キサンタンガム：                                      ０．３％
水：                                                  適量添加して１００％とする防腐剤、香料：                                        適量
【０１６５】
実施例４６：毛髪用ローション
ブチレングリコール：                                  ３．０％
高分子電解質２：                                      ３％
ＳＩＭＵＬＳＯＬ（商標）１２９３：                    ３．０％
乳酸：                                                適量添加してｐＨ６とする
ＳＥＰＩＣＩＤＥ（商標）  ＨＢ：                      ０．２％
ＳＥＰＩＣＩＤＥ（商標）ＣＩ：                        ０．３％
香料：                                                ０．３％
水：                                                  適量添加して１００％とする
【０１６６】
実施例４７：保護及びリラックスシャンプー（Protective and relaxing shampoo）
ＡＭＯＮＹＬ（商標）  ６７５  ＳＢ：                ５．０％
２８％ナトリウムラウロイルエーテルスルフェート：    ３５．０％
高分子電解質４：                                    ３．０％
ＳＥＰＩＣＩＤＥ（商標）  ＨＢ：                    ０．５％
ＳＥＰＩＣＩＤＥ（商標）ＣＩ：                      ０．３％
水酸化ナトリウム：                                  適量添加してｐＨ７．２とする香料：                                              ０．３％
色素（ＦＤＣ青色１号／黄色５号）：                  適量
水：                                                適量添加して１００％とする
【０１６７】
実施例４８：リーブオン保護製品；毛髪用抗ストレスケア製品
ＫＥＴＲＯＬ（商標）Ｔ：                              ０．５％
ココイルアミノ酸の混合物：                            ３．０％
ブチレングリコール：                                  ５．０％
ＤＣ  １５０１：                                      ５．０％
高分子電解質４：                                      ４．０％
ＳＥＰＩＣＩＤＥ（商標）  ＨＢ：                      ０．５％
ＳＥＰＩＣＩＤＥ（商標）ＣＩ：                        ０．３％
香料：                                                ０．３％
水：                                                  適量添加して１００％とする
【０１６８】
実施例４９：ビタミンを含むクリーム
ＳＩＭＵＬＳＯＬ（商標）  １６５：                    ５％
ＭＯＮＴＡＮＯＶ（商標）  ２０２：                    １％
トリ（カプリル酸／カプリン酸）グリセリル：            ２０％
ビタミンＡパルミテート：                              ０．２％
ビタミンＥアセテート：                                １％
ＭＩＣＲＯＰＥＡＲＬ（商標）  Ｍ３０５：              １．５％
高分子電解質３：                                      ２％
水：                                                  適量添加して１００％とする防腐剤、香料：                                        適量
【０１６９】
実施例５０：日焼け止めゲル
高分子電解質８：                                      ３．００％
ＳＥＰＩＣＩＤＥ（商標）  ＣＩ：                      ０．２０％
ＳＥＰＩＣＩＤＥ（商標）  ＨＢ：                      ０．３０％
香料：                                                ０．１０％
色素：                                                適量
シリカ：                                              ３．００％
水：                                                  適量添加して１００％とするシリコーン油：                                        ２．０％
ベンゾフェノン−３：                                  ５．００％
【０１７０】
実施例５１：リップグロス
高分子電解質３：                                      １．５０％
ＳＣＨＥＲＣＥＭＯＬ（商標）  ＴＩＳＣ：              １５．００％
ＶＩＳＴＡＮＯＬ（商標）  ＮＰＧＣ：                  １５．００％
ＣＡＮＤＵＲＩＮ  ＰＡＰＲＩＫＡ（商標）：            ０．５０％
ＭＯＮＴＡＮＯＸ（商標）  ８０：                      １．００％
ＡＮＴＡＲＯＮ（商標）  Ｖ２１６：                    ０．９０％
杏フレーバー：                                        ０．２０％
ＳＥＰＩＣＩＤＥ（商標）  ＨＢ：                      ０．５０％
Ｃ  ＭＡＬＴＩＤＥＸ（商標）  Ｈ１６３２２：          適量添加して１００％とする
【０１７１】
実施例５２：サンソイル（Sun soil）圧縮パウダー
高分子電解質１：                                      ２．００％
ＬＡＮＯＬ（商標）  ９９：                            １２．００％
ＳＥＰＩＷＨＩＴＥ（商標）  ＭＳＨ    ：              １．００％
タルク：                                              ３３．００％
ＭＩＣＲＯＰＥＡＲＬ（商標）  Ｍ３１０：              ３．００％
黄色酸化鉄：                                          ０．８０％
赤色酸化鉄：                                          ０．３０％
黒色酸化鉄：                                          ０．０５％
マイカ：                                              適量添加して１００％とする
【０１７２】
実施例５３：アトピー性皮膚用乳液
ＡＲＬＡＣＥＬ（商標）  Ｐ１３５：                    ２．００％
高分子電解質４：                                      １．００％
ＬＡＮＯＬ（商標）  １６８８：                        １４．００％
ＰＲＩＭＯＬ（商標）  ３５２：                        ８．００％
グリセロール：                                        ５．００％
水：                                                  適量添加して１００％とする硫酸マグネシウム：                                    ０．７０％
ＳＥＰＩＣＩＤＥ（商標）  ＨＢ：                      ０．３０％
ＳＥＰＩＣＩＤＥ（商標）  ＣＩ：                      ０．２０％
ＭＩＣＲＯＰＥＡＲＬ（商標）  Ｍ３１０：              ５．００％
【０１７３】
実施例５４：鎮静日焼け止めケア製品（シリコーン中水型）
高分子電解質２：                                      ２．００％
ＤＣ５２２５Ｃ：                                      ２０．００％
ＤＣ３４５：                                          １０．００％
ＳＥＰＩＣＡＬＭ（商標）  ＶＧ：                      ３．００％
二酸化チタンＭＴ１００Ｔ：                            ５．００％
酸化亜鉛Ｚ−ｃｏｔｅ  ＨＰ１：                        ５．００％
ＳＥＰＩＣＩＤＥ（商標）  ＨＢ：                      ０．３０％
香料：                                                ０．０５％
ＳＥＰＩＣＩＤＥ（商標）  ＣＩ：                      ０．２０％
グリセロール：                                        ５．００％
塩化ナトリウム：                                      ２．００％
水：                                                  適量添加して１００％とする
【０１７４】
実施例５５：多相ケア製品
高分子電解質４：                                          ３．００％
Ｃ１２〜１５アルキルベンゾエート：                        ２５．００％
ＡＱＵＡＸＹＬ（商標）：                                  ３．００％
ＳＥＰＩＴＯＮＩＣ（商標）  Ｍ３：                        １．００％
ＳＥＰＩＣＩＤＥ（商標）  ＨＢ：                          ０．５０％
ＳＥＰＩＣＩＤＥ（商標）  ＣＩ：                          ０．３０％
【０１７５】
実施例５６：セルフタンニングゲル
高分子電解質３：                                      ５．０％
エタノール：                                          ３０％
ジヒドロキシアセトン：                                ５％
メントール：                                          ０．１％
カフェイン：                                          ２．５％
ツタ抽出物（Ivry extract）：                          ２％
ＳＥＰＩＣＩＤＥ（商標）  ＨＢ：                      １％
水：                                                  適量添加して１００％とする
【０１７６】
実施例５７：日焼け止め及びセルフタンニングゲル
ＭＯＮＴＡＮＯＶ（商標）  Ｓ：                        ３．０％
グリセリルトリヘプタノエート：                        １０．０％
ＬＩＰＡＣＩＤＥ（商標）  ＰＶＢ：                    １．０５％
高分子電解質２：                                      ２．２％
水：                                                  適量添加して１００％とするジヒドロキシアセトン：                                ５％
香料：                                                ０．１％
ＳＥＰＩＣＩＤＥ（商標）  ＨＢ：                      ０．３％
ＳＥＰＩＣＩＤＥ（商標）  ＣＩ：                      ０．１％
ＰＡＲＳＯＬ（商標）  ＭＣＸ：                        ４．０％
【０１７７】
実施例５８：α−ヒドロキシ酸を含むセルフタンニングクリーム
ＭＯＮＴＡＮＯＶ（商標）  ６８：                      ５．０％
ＬＩＰＡＣＩＤＥ（商標）  ＰＶＢ：                    １．０５％
ＬＡＮＯＬ（商標）  ９９：                            １０．０％
水：                                                  適量添加して１００％とするグルコン酸：                                          １．５％
ジヒドロキシアセトン：                                ３％
トリエタノールアミン：                                ０．９％
高分子電解質１：                                      １．５％
香料：                                                ０．４％
ＳＥＰＩＣＩＤＥ（商標）  ＨＢ：                      ０．２％
ＳＥＰＩＣＩＤＥ（商標）  ＣＩ：                      ０．４％
【０１７８】
実施例５９：敏感肌用のα−ヒドロキシ酸を含むセルフタンニングクリーム
Ｎ−ラウロイルアミノ酸の混合物：                      ０．１％〜５％
アスパラギン酸マグネシウムカリウム：                  ０．００２％〜０．５％
ＭＯＮＴＡＮＯＶ（商標）  ６８：                      ５．０％
ＬＡＮＯＬ（商標）  ９９：                            ２．０％
水：                                                  適量添加して１００％とする乳酸：                                                １．５％
ジヒドロキシアセトン：                                ３．５％
トリエタノールアミン：                                ０．９％
高分子電解質２：                                      １．５％
香料：                                                ０．４％
ＳＥＰＩＣＩＤＥ（商標）  ＨＢ：                      ０．３％
ＳＥＰＩＣＩＤＥ（商標）  ＣＩ：                      ０．２％
【０１７９】
実施例６０：セルフタンニング保湿サテン乳液
ＳＩＭＵＬＳＯＬ（商標）  １６５：                                ５．０％
ＬＡＮＯＬ（商標）  １６８８：                                    ８．５％
ガラムバター（Galam butter）：                                    ２％
流動パラフィン：                                                  ６．５％
ＬＡＮＯＬ（商標）  １４Ｍ：                                      ３％
ＬＡＮＯＬ（商標）  Ｓ：                                          ０．６％
水：                                                              ６６．２％
ジヒドロキシアセトン：                                            ３％
ＭＩＣＲＯＰＥＡＲＬ（商標）  Ｍ１００：                          ５％
高分子電解質３：                                                  ３％
ＡＱＵＡＸＹＬ（商標）：                                            ５％
ビタミンＥアセテート：                                            ０．２０％
ナトリウムピロリジノンカルボキシレート：                          ０．２０％
香料：                                                            ０．２％
ＳＥＰＩＣＩＤＥ（商標）  ＨＢ：                                  ０．５％
ＳＥＰＩＣＩＤＥ（商標）  ＣＩ：                                  ０．３％
【０１８０】
実施例６１：オルガノ−ミネラル日焼け止めスプレー
配合 
Ａ      イソデシルネオペンタノエート：                ２０％
ＣＹＣＬＯＤＩＭＥＴＨＩＣＯＮＥ（商標）：      ５％
エチルヘキシルメトキシシンナメート：          ６％
ブチルメトキシジベンゾイルメタン：            ３％
ＤＬα−トコフェロール：                      ０．０５％
Ｂ      水：                                          適量添加して１００％とする
四ナトリウムＥＤＴＡ：                        ０．２％
グリセロール：                                ７％
フェニルベンズイミダゾールスルホン酸（必要とされるモル量の水酸化ナトリウムにより塩化された）：                                ３％
Ｃ      高分子電解質８：                              １．３％
ＫＥＴＲＯＬ（商標）ＣＧ−Ｔ：                ０．３１５％
ＥＦＦＩＣＡＣＩＡ（商標）Ｍ：                ０．３８５％
Ｄ      ＳＥＰＩＣＩＤＥ（商標）  ＨＢ：              １％
香料：                                        ０．１％
【０１８１】
実施例６２：ボディクリーム
配合：
トリグリセリド４５５５（Ｃ８Ｃ１０）：                １２％
Ｃ１２〜Ｃ１５アルキルベンゾエート：                  ５．３％
イソヘキサデカン：                                    ２．７％
セチルアルコール：                                    ２％
ＤＬα−トコフェロール：                              ０．１０％
高分子電解質２：                                      １．５％
タラガム：                                            ０．５％
水：                                                  適量添加して１００％とするＧＩＶＯＢＩＯ（商標）  ＧＺｎ：                      １％
ＳＥＰＩＣＡＬＭ（商標）  Ｓ：                        ３％
ＥＵＸＹＬ（商標）  ＰＥ９１０：                      １％
香料：                                                ０．１％
【０１８２】
実施例６３：インビゴレーティング芳香ゲル
Ａ      高分子電解質３：                              ２．２５％
水溶液／水：                                  適量添加して１００％とするＢ      レモン精油：                                  ０．５０％
セージ精油：                                  ０．５０％
グリセロール：                                ２．００％
エタノール：                                  ８３．００％
【０１８３】
実施例６４：ＵＶ保護芳香毛髪用ゲル
Ａ      高分子電解質４：                        １．００％
ＳＯＬＡＧＵＭ（商標）  ＡＸ：          １．００％
二ナトリウムＥＤＴＡ：                  ０．０５％
水溶液／水：                            適量添加して１００％とする
色素：                                  適量
Ｂ      二ナトリウムフェニルベンズイミダゾールテトラスルホネート：              
５．００％
ベンゾフェノン−４：                    ３．００％
アミノメチルプロパノール：              ４．００％
水溶液／水：                            ２５．００％
Ｃ      香料濃縮物Ａ：                          ０．１０％
フェノキシエタノール及びエチルヘキシルグリセロール：                    
１．００％
ポリソルベート２０：                    ０．５０％
ＰＥＧ／ＰＰＧ−２０／１５  ＤＩＭＥＴＨＩＣＯＮＥ（商標）：            
１．００％
エタノール：                            ２０．００％
Ｄ      トリエタノールアミン：                  適量添加してｐＨ７〜７．２とする
【０１８４】
実施例６５：ゲル化オーデコロン（gelled eau de cologne）
Ａ      高分子電解質１０：                            ３．００％
水溶液／水：                                  適量添加して１００％とするＢ      香料濃縮物Ｂ：                                ４．００％
エタノール：                                  ８１．００％
【０１８５】
実施例６６：スタイリングゲル
高分子電解質４：                                      ２．００％
ポリビニルピロリドン：                                ２．００％
ＶＰ／メタクリルアミド／ｎ−ビニルイミダゾールコポリマー                        
１５％
エタノール：                                          ２０％
ポリソルベート２０：                                  ２．５％
香料：                                                ０．３％
ＤＩＭＥＴＨＩＣＯＮＥ  ＣＯＰＯＬＹＯＬ（商標）：    １．０％
水：                                                  適量添加して１００％とする
【０１８６】
実施例６７：芳香油中水型エマルジョン
Ａ      イソノニルイソノナノエート：                  ６％
エチルヘキシルグリセロール：                  １％
Ｂ      ＥＡＳＹＮＯＶ（商標）：                      ２．５％
Ｃ      高分子電解質１２：                            ０．５％
ＡＱＵＡＸＹＬ（商標）：                      ３％
水：                                          適量添加して１００％とするＤ      エタノール：                                  ４０％
香料：                                        ２．０％
【０１８７】
実施例６８：制汗油中水型エマルジョン
Ａ      イソノニルイソノナノエート：                    ６％
エチルヘキシルグリセロール：                    １％
Ｂ      ＥＡＳＹＮＯＶ（商標）：                        ２．５％
Ｃ      高分子電解質８：                                ０．５％
ＡＱＵＡＸＹＬ（商標）：                        ３％
水：                                          適量添加して１００％とする
アルミニウム塩酸塩（５０％）：                  ３０％
【０１８８】
実施例６９：ライトニング油中水型エマルジョン
Ａ      イソノニルイソノナノエート：                  ６％
香料：                                        ０．１％
フェノキシエタノール及びエチルヘキシルグリセロール：                    
１％
Ｂ      ＥＡＳＹＮＯＶ（商標）：                        １．５％
高分子電解質２：                              ０．５％
ＳＥＰＩＷＨＩＴＥ（商標）ＭＳＨ：            ２％
水：                                          適量添加して１００％とする
【０１８９】
実施例７０：スルフェートフリーのシャワーゲル
ＡＭＯＮＹＬ（商標）  ３８０  ＢＡ（２８．９％ＡＭ）：  １０．４％
ＯＲＡＭＩＸ（商標）ＮＳ１０（（５４．２％ＡＭ）        ２２．７３％
水：                                                  適量添加して１００％とする４５％乳酸溶液：                                      ０．３％
高分子電解質１：                                      ２％
【０１９０】
実施例７１：シャワーゲル
ＡＭＯＮＹＬ（商標）  ３８０  ＢＡ（２８．９％ＡＭ）：  １０．４％
ナトリウムラウリルエーテル（２．２ＥＯ）スルフェート（２７．１％ＡＭ）          
４４．３％
水                                                    適量添加して１００％とする４５％乳酸溶液                                        ０．３％
高分子電解質３                                        ０．８％
【０１９１】
実施例７２：シャンプー
Ａ      ＪＡＧＵＡＲ（商標）  Ｃ１４  Ｓ：          ０．２０％
水：                                        適量添加して１００％とする
高分子電解質２：                            ０．２０％
Ｂ      二ナトリウムＥＤＴＡ：                      ０．０５％
Ｃ      ７０％ナトリウムラウリルエーテルスルフェート：                          
１６．０％
ＡＭＯＮＹＬ（商標）  ３８０  ＢＡ：        ３．０％
ＯＲＡＭＩＸ（商標）  ＮＳ１０：            ４．０％
グリコールジステアレート：                  １．５％
セテアリルアルコール：                      ０．５％
ヤシ油脂肪酸エタノールアミド（coconut ethanol amide）：                
０．８％
ヤシ油脂肪酸ジエタノールアミド（coconut diethanol amide）：            
０．８％
Ｄ      ポリクオタニウム−７：                      ２．０％
ジメチコーン及びラウレス−２３及びラウレス−３：                        
１．０％
ジメチコノール及びＴＥＡ−ドデシルベンゼンスルホネート：                
２．０％
ＳＥＰＩＣＩＤＥ（商標）  ＨＢ：            １．０％
香料：                                      ０．３％
塩化ナトリウム：                            ０．８％
クエン酸（２５％）：                        適量添加してｐＨ６．０とする
【０１９２】
実施例７３：２−イン−１シャンプー
Ａ      ＪＡＧＵＡＲ（商標）Ｃ１４  Ｓ：            ０．２％
水：                                        適量添加して１００％とする
高分子電解質１：                            ０．２％
Ｂ      二ナトリウムＥＤＴＡ：                      ０．０５％
Ｃ      ７０％ナトリウムラウリルエーテルスルフェート：                          
１６．０％
ＡＭＯＮＹＬ（商標）  ３８０  ＢＡ：        ３．０％
ＯＲＡＭＩＸ（商標）  ＮＳ１０              ４．０％
グリコールジステアレート：                  １．５％
セテアリルアルコール：                      ０．５％
ヤシ油脂肪酸エタノールアミド                ０．８％
ヤシ油脂肪酸ジエタノールアミド              ０．８％
Ｄ      ポリクオタニウム−７                        １．８％
ポリクオタニウム−１０                      ０．２％
ジメチコーン及びラウレス−２３及びラウレス−３                          
１．０％
ジメチコノール及びＴＥＡ−ドデシルベンゼンスルホネート                  
２．０％
ＳＥＰＩＣＩＤＥ（商標）  ＨＢ：            １．０％
香料：                                      ０．３％
塩化ナトリウム：                            ０．８％
クエン酸（２５％）：                        適量添加してｐＨ６．０とする
【０１９３】
実施例７４：髪の縮れを抑え、髪をほぐす（Anti-frizziness disentangling）スプレー
Ａ      ＭＯＮＴＡＮＯＶ（商標）  Ｌ：              ０．５％
シクロペンタシロキサン及びジメチコノール：  ２．０％
Ｂ      高分子電解質２：                            １．２％
水：                                        適量添加して６０％とする
Ｃ      水：                                        適量添加して１００％とする
塩化セトリモニウム：                        ０．５％
Ｄ      ＳＥＰＩＣＩＤＥ（商標）  ＨＢ：            １．０％
香料：                                      ０．１％
乳酸：                                      適量添加してｐＨ６．０とする
【０１９４】
上記実施例で使用した商品を以下に明示する。
ＳＩＭＵＬＳＯＬ（商標）  １２９３は、エトキシ化インデックスが４０に等しい水素化及びエトキシ化されたヒマシ油であり、企業SEPPICによって販売されている。
ＣＡＰＩＧＥＬ（商標）  ９８は、企業SEPPICによって販売されているアクリレートコポリマー系液体増粘剤である。
ＫＥＬＴＲＯＬ（商標）ＣＧ−Ｔ及びＫＥＴＲＯＬ（商標）  Ｔは企業CP KELCOによって販売されるキサンタンガムである。
ＬＡＮＯＬ（商標）  ９９は企業SEPPICによって販売されるイソノナン酸イソノニルである。
ＤＣ  １５０１（商標）は企業DOW CHEMICALによって販売されるシクロペンタシロキサン及びジメチコノールの混合物である。
ＭＯＮＴＡＮＯＶ（商標）  ８２はセテアリルアルコール及びココイルグルコシドに基づく乳化剤である。
ＭＯＮＴＡＮＯＶ（商標）  ６８（セテアリルグルコシド）は国際公開第９２／０６７７８号に記載される自己乳化組成物であり、企業SEPPICによって販売されている。
ＭＩＣＲＯＰＥＡＲＬ（商標）  Ｍ１００は非常に柔らかな触感と艶消し作用とを有する超微細粉末であり、企業MATSUMOによって販売されている。
ＳＥＰＩＣＩＤＥ（商標）  ＣＩ、すなわちイミダゾリジニルウレアは企業SEPPICによって販売されている防腐剤である。
ＰＥＭＵＬＥＮ（商標）  ＴＲ１はGOODRICHによって販売されているアクリルポリマーである。
ＳＩＭＵＬＳＯＬ（商標）  １６５は、企業SEPPICによって販売されている自己乳化性ステアリン酸グリセリルである。
ＬＡＮＯＬ（商標）  １６８８はべたつかない効果を有するエモリエントエステルであり、企業SEPPICによって販売されている。
ＬＡＮＯＬ（商標）  １４Ｍ及びＬＡＮＯＬ（商標）  Ｓは、企業SEPPICによって販売されているコンシステンシーファクターである。
ＳＥＰＩＣＩＤＥ（商標）  ＨＢ（ＩＮＣＩ名：フェノキシエタノール／メチルパラベン／エチルパラベン／プロピルパラベン／ブチルパラベン）は企業SEPPICによって販売されている防腐剤である。
ＡＱＵＡＸＹＬ（商標）（ＩＮＣＩ名：キシリチルグルコシド、並びに無水キシリトール及びキシリトール）：企業SEPPICによって販売されている保湿組成物。
ＳＣＨＥＲＣＥＭＯＬ（商標）  ＯＰはべたつかない効果を有するエモリエントエステルである。
ＬＡＮＯＬ（商標）  Ｐは安定化効果を有する添加剤であり、企業SEPPICによって販売されている。
ＰＡＲＳＯＬ（商標）  ＭＣＸは、企業GIVAUDANによって販売されているオクチルパラ−メトキシシンナメートである。
ＭＯＮＴＡＮＯＶ（商標）  Ｓは真珠光沢剤であり、企業SEPPICによって販売され、国際公開第９５／１３８６３号に記載されるもの等のアルキルポリグルコシドの混合物に基づく。
ＭＩＣＲＯＰＥＡＲＬ（商標）  ＳＱＬはマッサージの動作によって放出されるスクアランを含有する微小粒子の混合物であり、企業MATSUMOによって販売されている。
ＬＡＮＯＬ（商標）  ３７Ｔは、企業SEPPICによって販売されているグリセリルトリヘプタノエートである。
ＳＯＬＡＧＵＭ（商標）  Ｌは、企業SEPPICによって販売されているカラギーナンである。
ＭＡＲＣＯＬ（商標）  ８２は、企業EXXONによって販売されている液体パラフィンである。
ＬＡＮＯＬ（商標）  ８４Ｄは、企業SEPPICによって販売されているジオクチルマレートである。
ＰＡＲＳＯＬ（商標）  ＮＯＸは、企業GIVAUDANによって販売されている日焼け止め剤である。
ＥＵＳＯＬＥＸ（商標）  ４３６０は、企業MERCKによって販売されている日焼け止め剤である。
ＤＯＷ  ＣＯＲＮＩＮＧ（商標）  ２４５（すなわちＤＣ  ２４５（商標））液は、企業DOW CORNINGによって販売されているシクロメチコーンである。
ＬＩＰＡＣＩＤＥ（商標）  ＰＶＢは企業SEPPICによって販売されている、アシル化された小麦タンパク質の加水分解物である。
ＭＩＣＲＯＰＥＡＲＬ（商標）  ＬＭはスクワランとポリ（メチルメタクリレート）とメタノールとの混合物であり、企業SEPPICによって販売されている。
ＳＥＰＩＣＯＮＴＲＯＬ（商標）  Ａ５は企業SEPPICによって販売されているカプリロイルグリシンとサルコシンとシナモン（シナモン・ジラニカム（Cinnamon zylanicum））の抽出物との混合物であり、例えば１９９８年６月２３日に出願された国際出願ＰＣＴ／ＦＲ９８／０１３１３号に記載されたものである。
ＬＡＮＯＬ（商標）  ２６８１は、企業SEPPICによって販売されているココナツカプリレート／カプレートの混合物である。
ＭＯＮＴＡＮＯＶ（商標）  ２０２は国際公開第９８／４７６１０号に記載されるＡＰＧ／脂肪アルコール組成物であり、企業SEPPICによって販売されている。
ＰＲＯＴＥＯＬ（商標）  ＡＰＬは、企業SEPPICによって販売されている発泡性界面活性剤である。
ＳＣＨＥＲＣＥＭＯＬ（商標）  ＴＩＳＣは、企業SCHERによって販売されているエステル（トリイソステアリルシトレート）である。
ＶＩＳＴＡＮＯＬ（商標）  ＮＰＧＣは、企業SEWA KASEIによって販売されているエステル（ネオペンチルグリコールジカプレート）である。
ＡＮＴＡＲＯＮ（商標）  Ｖ２１６は、企業UNIVARによって流通されている合成ポリマー（ＰＶＰ／ヘキサデセンコポリマー）である。
Ｃ  ＭＡＬＴＩＤＥＸ（商標）  Ｈ１６３２２は、企業CERESTARによって販売されているポリオール（マルチトールシロップ）である。
ＳＥＰＩＷＨＩＴＥ（商標）  ＭＳＨ（ＩＮＣＩ名：ω−ウンデシレノイルフェニルアラニン）は、企業SEPPICによって販売されている美白剤である。
ＤＣ  ３４５（商標）は企業DOW CORNINGによって販売されているシクロメチコーンである。 
ＤＣ  ５２２５Ｃ（商標）は、企業DOW CORNINGによって販売されているシクロペンタシロキサンとジメチコーンコポリオールとの混合物である。
ＳＥＰＩＣＡＬＭ（商標）  ＶＧは、企業SEPPICによって販売されている鎮静促進剤（soothing activator）（ナトリウムパルミトイルプロリン）である。
ＭＴ１００ＶＴは、企業UNIPEXによって流通されている表面処理（水酸化アルミニウム／ステアリン酸）された微粉二酸化チタンである。
Ｚ−ＣＯＴＥ  ＨＰ１（商標）は表面処理された微粉酸化亜鉛であり、GATTEFOSSEによって流通されている。
ＣＡＮＤＵＲＩＮ  ＰＡＰＲＩＫＡ（商標）は、ケイ酸カリウムアルミニウムと酸化鉄との混合物である。
ＭＩＣＲＯＰＥＡＲＬ（商標）  Ｍ３１０は、非常に柔らかな触感と艶消し作用とを有する超微細粉末であり、企業MATSUMOによって販売されている。
ＰＲＩＭＯＬ（商標）  ３５２は、企業EXXONによって販売されている鉱油である。
ＰＥＣＯＳＩＬ（商標）  ＤＣＴは、企業PHOENIXによって販売されているナトリウムジメチコーンＰＥＧ−７アセチルメチルタウレートである。
ＰＥＣＯＳＩＬ（商標）  ＰＳ  １００は、企業PHOENIXによって販売されているジメチコーンＰＥＧ−７である。
ＥＦＦＩＣＡＣＩＡ（商標）  Ｍは企業CNIによって販売されているアカシアガムである。
ＥＵＸＹＬ（商標）  ＰＥ９１０は企業Schuelke & Mayrによって販売されているフェノキシエタノールとエチルへキシルグリセロールとの混合物である。
ＧＩＶＯＢＩＯ（商標）  ＧＺｎ（ＩＮＣＩ名：グルコン酸亜鉛）：企業SEPPICによって販売されている組成物。
ＳＥＰＩＣＡＬＭ（商標）  Ｓ：（ＩＮＣＩ名：ナトリウムココイルアミノ酸及びサルコシン及びアスパラギン酸カリウム及びアスパラギン酸マグネシウム）：企業SEPPICによって販売されている抗炎症組成物。
ＳＯＬＡＧＵＭ（商標）  ＡＸ（アカシアセネガルガム及びキサンタンガム）は、企業SEPPICによって販売されているポリマー増粘剤及びポリマー安定化剤である。
ＥＡＳＹＮＯＶ（商標）（ＩＮＣＩ名：オクチルドデカノール、オクチルドデシルキシロシド及びＰＥＧ−３０ジポリヒドロキシステアレート）は企業SEPPICによって販売されている乳化組成物である。
香料濃縮物Ａ：企業Dromによって販売されている香料６１３０３６５８。
香料濃縮物Ｂ：企業MLWによって販売されている「グリーンウォーター」。
ＡＭＯＮＹＬ（商標） ３８０  ＢＡは、企業SEPPICによって販売されているコカミドプロピルベタインである。
ＯＲＡＭＩＸ（商標）  ＮＳ  １０はデシルポリグルコシドとドデシルポリグルコシドとテトラデシルポリグルコシドとを含む発泡性組成物であり、企業SEPPICによって販売されている。
ＪＡＧＵＡＲ（商標）  Ｃ１４  Ｓ（ＩＮＣＩ名：グアーヒドロキシプロピルトリモニウムクロリド）は企業Rhodiaによって販売されている調整剤である。
Ｐｏｌｙｑｕａｔｅｒｎｉｕｍ−７は第四級アンモニウム誘導体の形態のカチオン性合成ポリマーであり、皮膜形成剤及び帯電防止コーティング剤として使用される。
Ｐｏｌｙｑｕａｔｅｒｎｉｕｍ−１０は第四級誘導体の形態のヒドロキシエチルセルロースポリマーであり、増粘剤として使用される。
ＭＯＮＴＡＮＯＶ（商標）  Ｌは企業SEPPICによって販売されている乳化剤である。
ＳＥＰＩＣＩＤＥ（商標）  ＨＢ（ＩＮＣＩ名：フェノキシエタノール／メチルパラベン／エチルパラベン／プロピルパラベン／ブチルパラベン）は防腐剤である。